(57)【要約】【課題】被写体に高い輝度の照明光を照射することができる表示装置などを提供する。または、本発明の一態様は、被写体のための光源として利用できる表示装置などを提供する。または、本発明の一態様は、被写体のための光源として利用でき、通常の画像や文字の表示も行え、双方を切り替え可能な表示装置などを提供することができる。【解決手段】発光装置が文字または画像を表示している期間において、発光装置が有するトランジスタは、飽和領域で動作されることができる機能を有し、発光装置が、被写体に照明光を照射している期間において、発光装置が有するトランジスタは、線形領域で動作されることができる機能を有する。【選択図】図１
2015084092.tif 000002
【特許請求の範囲】
【請求項１】
画素を有する発光装置であって、
前記画素は、トランジスタと、発光素子と、を有し、
前記トランジスタは、前記発光素子に流れる電流の大きさを制御することができる機能を有し、
前記発光装置が文字または画像を表示している期間において、前記トランジスタは、飽和領域で動作されることができる機能を有し、
前記発光装置が、被写体に照明光を照射している期間において、前記トランジスタは、線形領域で動作されることができる機能を有することを特徴とする発光装置。
【請求項２】
発光装置とカメラ部とを有する電子機器であって、
前記発光装置は、画素を有し、
前記画素は、トランジスタと、発光素子と、を有し、
前記トランジスタは、前記発光素子に流れる電流の大きさを制御することができる機能を有し、
前記発光装置が文字または画像を表示している期間において、前記トランジスタは、飽和領域で動作されることができる機能を有し、
前記発光装置が、前記カメラ部を用いて撮影する被写体に、照明光を照射している期間において、前記トランジスタは、線形領域で動作されることができる機能を有することを特徴とする電子機器。
【請求項３】
請求項２において、
前記カメラ部は、前記発光装置が前記被写体に前記照明光を照射している期間に、前記被写体の撮影を行うことができる機能を有することを特徴とする電子機器。
【請求項４】
画素を有する発光装置の駆動方法であって、
前記画素は、トランジスタと、発光素子と、を有し、
前記トランジスタは、前記発光素子に流れる電流の大きさを制御することができる機能を有し、
第１の動作モードにおいて、前記発光装置は、文字または画像を表示し、かつ、前記トランジスタは、飽和領域で動作し、
第２の動作モードにおいて、前記発光装置は、被写体に照明光を照射し、かつ、前記トランジスタは、線形領域で動作していることを特徴とする発光装置の駆動方法。
【請求項５】
発光装置とカメラ部とを有する電子機器の駆動方法であって、
前記発光装置は、画素を有し、
前記画素は、トランジスタと、発光素子と、を有し、
前記トランジスタは、前記発光素子に流れる電流の大きさを制御することができる機能を有し、
第１の動作モードにおいて、前記発光装置は、文字または画像を表示し、かつ、前記トランジスタは、飽和領域で動作し、
第２の動作モードにおいて、前記発光装置は、前記カメラ部を用いて撮影する被写体に照明光を照射し、かつ、前記トランジスタは、線形領域で動作していることを特徴とする電子機器の駆動方法。
【請求項６】
請求項５において、
前記第２の動作モードにおいて、前記カメラ部は、前記被写体の撮影を行うことを特徴とする電子機器の駆動方法。
【発明の詳細な説明】
【技術分野】
【０００１】
本発明は、物、方法、または、製造方法に関する。または、本発明は、プロセス、マシン、マニュファクチャ、または、組成物（コンポジション・オブ・マター）に関する。特に、本発明の一態様は、半導体装置、表示装置、発光装置、照明装置、撮像装置、防犯装置、それらの駆動方法、または、それらの製造方法に関する。特に、本発明の一態様は、撮像装置のための光源、または、その駆動方法に関する。
【背景技術】
【０００２】
カメラ機能や、イメージセンサなどの撮像素子を備えた電子機器が開発されている。特に、携帯型の電子機器において、カメラ機能を備えた電子機器の開発が活発になっている。そのような携帯型の電子機器では、電子機器のおもて面には、画面の大きなディスプレイが配置されている。使用者は、大きな画面を見ながら、電子機器のうら面に設けられたイメージセンサを用いて、画像や映像を撮影している。
【０００３】
しかし、最近では、イメージセンサが、電子機器のうら面だけでなく、電子機器のおもて面にも設けられているような電子機器も開発されている。つまり、イメージセンサとディスプレイとが、同一の面に配置されている電子機器も開発されている。その場合には、画面を見ている自分の顔などを、電子機器のおもて面に設けられたイメージセンサで撮影することとなる（特許文献１参照）。さらに、電子機器をテレビ電話として使用する場合、通話相手の画像を画面で見ながら、自分の画像をイメージセンサで撮影し、通話相手に送信することが出来る。
【０００４】
一方、イメージセンサを用いて撮影を行う場合、被写体の照度が低い場合がある。そのような場合には、フラッシュやストロボなどの光源を用いて被写体を照らして、被写体の照度を上げることによって、きれいな撮影が行える（特許文献２参照）。携帯型の電子機器では、イメージセンサの他に、被写体を照らすためのフラッシュが別途設けられている場合が多い。一方、特許文献１では、表示部が、表示機能とカメラの被写体に対する照明機能とを有していて、それらの機能を切換えることができる電子機器が開示されている。
【先行技術文献】
【特許文献】
【０００５】
【特許文献１】特開２００４−３５０２０８号公報
【特許文献２】特開２００７−１１０７１７号公報
【発明の概要】
【発明が解決しようとする課題】
【０００６】
電子機器のための表示部として、液晶表示装置が用いられていることが多いが、有機ＥＬ（エレクトロルミネッセンス）素子のような発光素子を用いた表示装置（または発光装置）も開発されている。しかしながら、発光装置は、発光素子の特性が劣化することにより、画面の均一性が悪化し、焼き付きなどが生じてしまう可能性がある。
【０００７】
そこで、発光素子の電圧電流特性が劣化しても、発光素子を流れる電流値が変わらないようにするために、発光素子は、発光素子に一定の電流が流れるようにして、駆動されている。つまり、定電流駆動によって、発光素子が駆動されている。
【０００８】
しかしながら、定電流駆動の場合、発光素子に流れる電流値を制御するトランジスタは、飽和領域で動作させることとなる。そのため、トランジスタのソースドレイン間電圧が大きくなってしまう。さらに、フラッシュやストロボなどの光源として、発光素子を用いたい場合には、高い輝度で発光素子を発光させる必要がある。そのためには、発光素子に大きな電流を流す必要がある。そのような場合には、発光素子に流れる電流値を制御するトランジスタのソースドレイン間電圧には、非常に大きな電圧が必要となり、消費電力が大きくなってしまう。
【０００９】
逆に、通常の輝度で表示させ、その通常の輝度で、フラッシュやストロボなどの光源として、発光素子を用いる場合には、輝度が低く、被写体を十分に照らすことができなくなってしまう。
【００１０】
したがって、本発明の一態様は、被写体に高い輝度の照明光を照射することができる表示装置などを提供することを目的の一とする。または、本発明の一態様は、被写体のための光源として利用できる表示装置などを提供することを目的の一とする。または、本発明の一態様は、被写体のための光源として利用でき、通常の画像や文字の表示も行え、その双方を切り替え可能な表示装置などを提供することを目的の一とする。または、本発明の一態様は、防犯用として利用することができる表示装置などを提供することを目的の一とする。または、本発明の一態様は、消費電力の低い表示装置などを提供することを目的の一とする。または、本発明の一態様は、目的に応じてトランジスタの動作領域を変えて発光素子を駆動する表示装置などを提供することを目的の一とする。または、本発明の一態様は、新規な表示装置などを提供することを目的の一とする。または、本発明の一態様は、新規な照明装置などを提供することを目的の一とする。
【００１１】
なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【００１２】
本発明の一態様は、画素を有する発光装置であって、画素は、トランジスタと、発光素子と、を有し、トランジスタは、発光素子に流れる電流の大きさを制御することができる機能を有し、発光装置が文字または画像を表示している期間において、トランジスタは、飽和領域で動作されることができる機能を有し、発光装置が、被写体に照明光を照射している期間において、トランジスタは、線形領域で動作されることができる機能を有することを特徴とする発光装置である。
【００１３】
または、本発明の一態様は、発光装置とカメラ部とを有する電子機器であって、発光装置は、画素を有し、画素は、トランジスタと、発光素子と、を有し、トランジスタは、発光素子に流れる電流の大きさを制御することができる機能を有し、発光装置が文字または画像を表示している期間において、トランジスタは、飽和領域で動作されることができる機能を有し、発光装置が、カメラ部を用いて撮影する被写体に、照明光を照射している期間において、トランジスタは、線形領域で動作されることができる機能を有することを特徴とする電子機器である。
【００１４】
または、本発明の一態様は、構成において、カメラ部は、発光装置が被写体に照明光を照射している期間に、被写体の撮影を行うことができる機能を有することを特徴とする電子機器である。
【００１５】
または、本発明の一態様は、画素を有する発光装置の駆動方法であって、画素は、トランジスタと、発光素子と、を有し、トランジスタは、発光素子に流れる電流の大きさを制御することができる機能を有し、第１の動作モードにおいて、発光装置は、文字または画像を表示し、かつ、トランジスタは、飽和領域で動作し、第２の動作モードにおいて、発光装置は、被写体に照明光を照射し、かつ、トランジスタは、線形領域で動作していることを特徴とする発光装置の駆動方法である。
【００１６】
または、本発明の一態様は、発光装置とカメラ部とを有する電子機器の駆動方法であって、発光装置は、画素を有し、画素は、トランジスタと、発光素子と、を有し、トランジスタは、発光素子に流れる電流の大きさを制御することができる機能を有し、第１の動作モードにおいて、発光装置は、文字または画像を表示し、かつ、トランジスタは、飽和領域で動作し、第２の動作モードにおいて、発光装置は、カメラ部を用いて撮影する被写体に照明光を照射し、かつ、トランジスタは、線形領域で動作していることを特徴とする電子機器の駆動方法である。
【００１７】
または、本発明の一態様は、構成において、第２の動作モードにおいて、カメラ部は、被写体の撮影を行うことを特徴とする電子機器の駆動方法である。
【発明の効果】
【００１８】
本発明の一態様は、被写体に高い輝度の照明光を照射することができる表示装置などを提供することができる。または、本発明の一態様は、被写体のための光源として利用できる表示装置などを提供することができる。または、本発明の一態様は、被写体のための光源として利用でき、通常の画像や文字の表示も行え、その双方を切り替え可能な表示装置などを提供することができる。または、本発明の一態様は、防犯用として利用することができる表示装置などを提供することができる。または、本発明の一態様は、消費電力の低い表示装置などを提供することができる。または、本発明の一態様は、目的に応じてトランジスタの動作領域を変えて発光素子を駆動する表示装置などを提供することができる。または、本発明の一態様は、新規な表示装置などを提供することができる。または、本発明の一態様は、新規な照明装置などを提供することができる。
【００１９】
なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００２０】
【図１】本発明の一態様の発光装置の駆動方法を説明する図。
【図２】本発明の一態様の発光装置の動作を説明する図。
【図３】本発明の一態様の発光装置の駆動方法を説明する図。
【図４】本発明の一態様の発光装置の駆動方法を説明する図。
【図５】本発明の一態様の発光装置の回路構成を説明する図。
【図６】本発明の一態様の発光装置の回路構成を説明する図。
【図７】本発明の一態様の発光装置の駆動方法を説明する図。
【図８】本発明の一態様の発光装置の回路構成を説明する図。
【図９】本発明の一態様の発光装置のブロック図を説明する図。
【図１０】本発明の一態様の発光装置のタイミングチャートを説明する図。
【図１１】本発明の一態様の発光装置のタイミングチャートを説明する図。
【図１２】本発明の一態様の発光装置のタイミングチャートを説明する図。
【図１３】本発明の一態様の発光装置の回路構成を説明する図。
【図１４】本発明の一態様の発光装置の回路構成を説明する図。
【図１５】本発明の一態様の発光装置の回路構成を説明する図。
【図１６】本発明の一態様の発光装置の回路構成を説明する図。
【図１７】本発明の一態様の発光装置の駆動方法を説明する図。
【図１８】本発明の一態様の発光装置の回路構成を説明する図。
【図１９】本発明の一態様の発光装置のタイミングチャートを説明する図。
【図２０】本発明の一態様の発光装置のタイミングチャートを説明する図。
【図２１】本発明の一態様の発光装置のタイミングチャートを説明する図。
【図２２】本発明の一態様の発光装置のタイミングチャートを説明する図。
【図２３】本発明の一態様の発光装置のタイミングチャートを説明する図。
【図２４】本発明の一態様の発光装置の回路構成を説明する図。
【図２５】本発明の一態様の発光装置の回路構成を説明する図。
【図２６】本発明の一態様の発光装置の回路構成を説明する図。
【図２７】本発明の一態様の発光装置の回路構成を説明する図。
【図２８】本発明の一態様の発光装置の駆動方法を説明する図。
【図２９】本発明の一態様の電子機器を説明する図。
【図３０】本発明の一態様の電子機器を説明する図。
【図３１】本発明の一態様の表示装置の断面図を説明する図。
【図３２】本発明の一態様のモジュールの斜視図を説明する図。
【図３３】本発明の一態様の電子機器を説明する図。
【図３４】本発明の一態様の電子機器を説明する図。
【発明を実施するための形態】
【００２１】
以下、実施の形態について図面を参照しながら説明する。但し、実施の形態は多くの異なる態様で実施することが可能であり、趣旨及びその範囲から逸脱することなくその形態及び詳細を様々に変更し得ることは当業者であれば容易に理解される。従って本実施の形態の記載内容に限定して解釈されるものではない。なお、以下に説明する構成において、同様のものを指す符号は異なる図面間で共通の符号を用いて示し、同一部分又は同様な機能を有する部分の詳細な説明は省略する。
【００２２】
なお、ある一つの実施の形態の中で述べる内容（一部の内容でもよい）は、その実施の形態で述べる別の内容（一部の内容でもよい）、及び／又は、一つ若しくは複数の別の実施の形態で述べる内容（一部の内容でもよい）に対して、適用、組み合わせ、又は置き換えなどを行うことが出来る。
【００２３】
なお、実施の形態の中で述べる内容とは、各々の実施の形態において、様々な図を用いて述べる内容、又は明細書に記載される文章を用いて述べる内容のことである。
【００２４】
なお、ある一つの実施の形態において述べる図（一部でもよい）は、その図の別の部分、その実施の形態において述べる別の図（一部でもよい）、及び／又は、一つ若しくは複数の別の実施の形態において述べる図（一部でもよい）に対して、組み合わせることにより、さらに多くの図を構成させることが出来る。
【００２５】
なお、明細書の中の図面や文章において規定されていない内容について、その内容を除くことを規定した発明を構成することが出来る。または、ある値について、上限値と下限値などで示される数値範囲が記載されている場合、その範囲を任意に狭めることで、または、その範囲の中の一点を除くことで、その範囲を一部除いて発明を規定することができる。これらにより、例えば、従来技術が本発明の技術的範囲内に入らないことを規定することができる。
【００２６】
具体例としては、ある回路において、第１乃至第５のトランジスタを用いている回路図が記載されているとする。その場合、その回路が、第６のトランジスタを有していないことを発明として規定することが可能である。または、その回路が、容量素子を有していないことを規定することが可能である。さらに、その回路が、ある特定の接続構造を有している第６のトランジスタを有していない、と規定して発明を構成することができる。または、その回路が、ある特定の接続構造を有している容量素子を有していない、と規定して発明を構成することができる。例えば、ゲートが第３のトランジスタのゲートと接続されている第６のトランジスタを有していない、と発明を規定することが可能である。または、例えば、第１の電極が第３のトランジスタのゲートと接続されている容量素子を有していない、と発明を規定することが可能である。
【００２７】
別の具体例としては、ある値について、例えば、「ある電圧が、３Ｖ以上１０Ｖ以下であることが好適である」と記載されているとする。その場合、例えば、ある電圧が、−２Ｖ以上１Ｖ以下である場合を除く、と発明を規定することが可能である。または、例えば、ある電圧が、１３Ｖ以上である場合を除く、と発明を規定することが可能である。なお、例えば、その電圧が、５Ｖ以上８Ｖ以下であると発明を規定することも可能である。なお、例えば、その電圧が、概略９Ｖであると発明を規定することも可能である。なお、例えば、その電圧が、３Ｖ以上１０Ｖ以下であるが、９Ｖである場合を除くと発明を規定することも可能である。
【００２８】
別の具体例としては、ある値について、例えば、「ある電圧が、１０Ｖであることが好適である」と記載されているとする。その場合、例えば、ある電圧が、ー２Ｖ以上１Ｖ以下である場合を除く、と発明を規定することが可能である。または、例えば、ある電圧が、１３Ｖ以上である場合を除く、と発明を規定することが可能である。
【００２９】
別の具体例としては、ある物質の性質について、例えば、「ある膜は、絶縁膜である」と記載されているとする。その場合、例えば、その絶縁膜が、有機絶縁膜である場合を除く、と発明を規定することが可能である。または、例えば、その絶縁膜が、無機絶縁膜である場合を除く、と発明を規定することが可能である。
【００３０】
別の具体例としては、ある積層構造について、例えば、「ＡとＢとの間に、ある膜が設けられている」と記載されているとする。その場合、例えば、その膜が、４層以上の積層膜である場合を除く、と発明を規定することが可能である。または、例えば、Ａとその膜との間に、導電膜が設けられている場合を除く、と発明を規定することが可能である。
【００３１】
なお、本明細書等においては、能動素子（トランジスタ、ダイオードなど）、受動素子（容量素子、抵抗素子など）などが有するすべての端子について、その接続先を特定しなくても、当業者であれば、発明の一態様を構成することは可能な場合がある。つまり、接続先を特定しなくても、発明の一態様が明確であると言える。そして、接続先が特定された内容が、本明細書等に記載されている場合、接続先を特定しない発明の一態様が、本明細書等に記載されていると判断することが可能な場合がある。特に、端子の接続先が複数のケース考えられる場合には、その端子の接続先を特定の箇所に限定する必要はない。したがって、能動素子（トランジスタ、ダイオードなど）、受動素子（容量素子、抵抗素子など）などが有する一部の端子についてのみ、その接続先を特定することによって、発明の一態様を構成することが可能な場合がある。
【００３２】
なお、本明細書等においては、ある回路について、少なくとも接続先を特定すれば、当業者であれば、発明を特定することが可能な場合がある。または、ある回路について、少なくとも機能を特定すれば、当業者であれば、発明を特定することが可能な場合がある。つまり、機能を特定すれば、発明の一態様が明確であると言える。そして、機能が特定された発明の一態様が、本明細書等に記載されていると判断することが可能な場合がある。したがって、ある回路について、機能を特定しなくても、接続先を特定すれば、発明の一態様として開示されているものであり、発明の一態様を構成することが可能である。または、ある回路について、接続先を特定しなくても、機能を特定すれば、発明の一態様として開示されているものであり、発明の一態様を構成することが可能である。
【００３３】
なお、本明細書等においては、ある一つの実施の形態において述べる図または文章において、その一部分を取り出して、発明の一態様を構成することは可能である。したがって、ある部分を述べる図または文章が記載されている場合、その一部分の図または文章を取り出した内容も、発明の一態様として開示されているものであり、発明の一態様を構成することが可能であるものとする。そのため、例えば、能動素子（トランジスタ、ダイオードなど）、配線、受動素子（容量素子、抵抗素子など）、導電層、絶縁層、半導体層、有機材料、無機材料、部品、装置、動作方法、製造方法などが単数又は複数記載された図面または文章において、その一部分を取り出して、発明の一態様を構成することが可能であるものとする。例えば、Ｎ個（Ｎは整数）の回路素子（トランジスタ、容量素子等）を有して構成される回路図から、Ｍ個（Ｍは整数で、Ｍ＜Ｎ）の回路素子（トランジスタ、容量素子等）を抜き出して、発明の一態様を構成することは可能である。別の例としては、Ｎ個（Ｎは整数）の層を有して構成される断面図から、Ｍ個（Ｍは整数で、Ｍ＜Ｎ）の層を抜き出して、発明の一態様を構成することは可能である。さらに別の例としては、Ｎ個（Ｎは整数）の要素を有して構成されるフローチャートから、Ｍ個（Ｍは整数で、Ｍ＜Ｎ）の要素を抜き出して、発明の一態様を構成することは可能である。
【００３４】
なお、本明細書等においては、ある一つの実施の形態において述べる図または文章において、少なくとも一つの具体例が記載される場合、その具体例の上位概念を導き出すことは、当業者であれば容易に理解される。したがって、ある一つの実施の形態において述べる図または文章において、少なくとも一つの具体例が記載される場合、その具体例の上位概念も、発明の一態様として開示されているものであり、発明の一態様を構成することが可能である。
【００３５】
なお、本明細書等においては、少なくとも図に記載した内容（図の中の一部でもよい）は、発明の一態様として開示されているものであり、発明の一態様を構成することが可能である。したがって、ある内容について、図に記載されていれば、文章を用いて述べていなくても、その内容は、発明の一態様として開示されているものであり、発明の一態様を構成することが可能である。同様に、図の一部を取り出した図についても、発明の一態様として開示されているものであり、発明の一態様を構成することが可能である。
【００３６】
なお、図において、大きさ、層の厚さ、又は領域は、明瞭化のために誇張されている場合がある。よって、必ずしもそのスケールに限定されない。
【００３７】
例えば、本明細書等において、トランジスタとは、ゲートと、ドレインと、ソースとを含む少なくとも三つの端子を有する素子である。そして、ドレイン（ドレイン端子、ドレイン領域またはドレイン電極）とソース（ソース端子、ソース領域またはソース電極）の間にチャネル領域を有しており、ドレインとチャネル領域とソースとを介して電流を流すことが出来るものである。ここで、ソースとドレインとは、トランジスタの構造又は動作条件等によって変わるため、いずれがソースまたはドレインであるかを限定することが困難である。そこで、ソースとして機能する部分、及びドレインとして機能する部分を、ソース又はドレインと呼ばない場合がある。その場合、一例として、ソースとドレインとの一方を、第１端子、第１電極、又は第１領域と表記し、ソースとドレインとの他方を、第２端子、第２電極、又は第２領域と表記する場合がある。
【００３８】
なお、トランジスタは、ベースとエミッタとコレクタとを含む少なくとも三つの端子を有する素子であってもよい。この場合も同様に、一例として、エミッタとコレクタとの一方を、第１端子、第１電極、又は第１領域と表記し、エミッタとコレクタとの他方を、第２端子、第２電極、又は第２領域と表記する場合がある。なお、トランジスタとしてバイポーラトランジスタが用いられる場合、ゲートという表記をベースと言い換えることが可能である。
【００３９】
例えば、本明細書等において、ＸとＹとが接続されている、と明示的に記載されている場合は、ＸとＹとが電気的に接続されている場合と、ＸとＹとが機能的に接続されている場合と、ＸとＹとが直接接続されている場合とが、本明細書等に開示されているものとする。したがって、所定の接続関係、例えば、図または文章に示された接続関係に限定されず、図または文章に示された接続関係以外のものも、図または文章に記載されているものとする。
【００４０】
ここで、Ｘ、Ｙは、対象物（例えば、装置、素子、回路、配線、電極、端子、導電膜、層、など）であるとする。
【００４１】
ＸとＹとが直接的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に接続されていない場合であり、ＸとＹとの電気的な接続を可能とする素子（例えば、スイッチ、トランジスタ、容量素子、インダクタ、抵抗素子、ダイオード、表示素子、発光素子、負荷など）を介さずに、ＸとＹとが、接続されている場合である。
【００４２】
ＸとＹとが電気的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に１個以上接続されることが可能である。なお、スイッチは、オンオフが制御される機能を有している。つまり、スイッチは、導通状態（オン状態）、または、非導通状態（オフ状態）になり、電流を流すか流さないかを制御する機能を有している。または、スイッチは、電流を流す経路を選択して切り替える機能を有している。なお、ＸとＹとが電気的に接続されている場合は、ＸとＹとが直接的に接続されている場合を含むものとする。
【００４３】
ＸとＹとが機能的に接続されている場合の一例としては、ＸとＹとの機能的な接続を可能とする回路（例えば、論理回路（インバータ、ＮＡＮＤ回路、ＮＯＲ回路など）、信号変換回路（ＤＡ変換回路、ＡＤ変換回路、ガンマ補正回路など）、電位レベル変換回路（電源回路（昇圧回路、降圧回路など）、信号の電位レベルを変えるレベルシフタ回路など）、電圧源、電流源、切り替え回路、増幅回路（信号振幅または電流量などを大きく出来る回路、オペアンプ、差動増幅回路、ソースフォロワ回路、バッファ回路など）、信号生成回路、記憶回路、制御回路など）が、ＸとＹとの間に１個以上接続されることが可能である。なお、一例として、ＸとＹとの間に別の回路を挟んでいても、Ａから出力された信号がＢへ伝達される場合は、ＸとＹとは機能的に接続されているものとする。なお、ＸとＹとが機能的に接続されている場合は、ＸとＹとが直接的に接続されている場合と、ＸとＹとが電気的に接続されている場合とを含むものとする。
【００４４】
なお、ＸとＹとが電気的に接続されている、と明示的に記載されている場合は、ＸとＹとが電気的に接続されている場合（つまり、ＸとＹとの間に別の素子又は別の回路を挟んで接続されている場合）と、ＸとＹとが機能的に接続されている場合（つまり、ＸとＹとの間に別の回路を挟んで機能的に接続されている場合）と、ＸとＹとが直接接続されている場合（つまり、ＸとＹとの間に別の素子又は別の回路を挟まずに接続されている場合）とが、本明細書等に開示されているものとする。つまり、電気的に接続されている、と明示的に記載されている場合は、単に、接続されている、とのみ明示的に記載されている場合と同様な内容が、本明細書等に開示されているものとする。
【００４５】
なお、例えば、トランジスタのソース（又は第１の端子など）が、Ｚ１を介して（又は介さず）、Ｘと電気的に接続され、トランジスタのドレイン（又は第２の端子など）が、Ｚ２を介して（又は介さず）、Ｙと電気的に接続されている場合や、トランジスタのソース（又は第１の端子など）が、Ｚ１の一部と直接的に接続され、Ｚ１の別の一部がＸと直接的に接続され、トランジスタのドレイン（又は第２の端子など）が、Ｚ２の一部と直接的に接続され、Ｚ２の別の一部がＹと直接的に接続されている場合では、以下のように表現することが出来る。
【００４６】
例えば、「ＸとＹとトランジスタのソース（又は第１の端子など）とドレイン（又は第２の端子など）とは、互いに電気的に接続されており、Ｘ、トランジスタのソース（又は第１の端子など）、トランジスタのドレイン（又は第２の端子など）、Ｙの順序で電気的に接続されている。」と表現することができる。または、「トランジスタのソース（又は第１の端子など）は、Ｘと電気的に接続され、トランジスタのドレイン（又は第２の端子など）はＹと電気的に接続され、Ｘ、トランジスタのソース（又は第１の端子など）、トランジスタのドレイン（又は第２の端子など）、Ｙは、この順序で電気的に接続されている」と表現することができる。または、「Ｘは、トランジスタのソース（又は第１の端子など）とドレイン（又は第２の端子など）とを介して、Ｙと電気的に接続され、Ｘ、トランジスタのソース（又は第１の端子など）、トランジスタのドレイン（又は第２の端子など）、Ｙは、この接続順序で設けられている」と表現することができる。これらの例と同様な表現方法を用いて、回路構成における接続の順序について規定することにより、トランジスタのソース（又は第１の端子など）と、ドレイン（又は第２の端子など）とを、区別して、技術的範囲を決定することができる。
【００４７】
または、別の表現方法として、例えば、「トランジスタのソース（又は第１の端子など）は、少なくとも第１の接続経路を介して、Ｘと電気的に接続され、前記第１の接続経路は、第２の接続経路を有しておらず、前記第２の接続経路は、トランジスタを介した、トランジスタのソース（又は第１の端子など）とトランジスタのドレイン（又は第２の端子など）との間の経路であり、前記第１の接続経路は、Ｚ１を介した経路であり、トランジスタのドレイン（又は第２の端子など）は、少なくとも第３の接続経路を介して、Ｙと電気的に接続され、前記第３の接続経路は、前記第２の接続経路を有しておらず、前記第３の接続経路は、Ｚ２を介した経路である。」と表現することができる。または、「トランジスタのソース（又は第１の端子など）は、少なくとも第１の接続経路によって、Ｚ１を介して、Ｘと電気的に接続され、前記第１の接続経路は、第２の接続経路を有しておらず、前記第２の接続経路は、トランジスタを介した接続経路を有し、トランジスタのドレイン（又は第２の端子など）は、少なくとも第３の接続経路によって、Ｚ２を介して、Ｙと電気的に接続され、前記第３の接続経路は、前記第２の接続経路を有していない。」と表現することができる。または、「トランジスタのソース（又は第１の端子など）は、少なくとも第１の電気的パスによって、Ｚ１を介して、Ｘと電気的に接続され、前記第１の電気的パスは、第２の電気的パスを有しておらず、前記第２の電気的パスは、トランジスタのソース（又は第１の端子など）からトランジスタのドレイン（又は第２の端子など）への電気的パスであり、トランジスタのドレイン（又は第２の端子など）は、少なくとも第３の電気的パスによって、Ｚ２を介して、Ｙと電気的に接続され、前記第３の接続経路は、前記第４の接続経路を有しておらず、前記第４の電気的パスは、トランジスタのドレイン（又は第２の端子など）からトランジスタのソース（又は第１の端子など）への電気的パスである。」と表現することができる。これらの例と同様な表現方法を用いて、回路構成における接続経路について規定することにより、トランジスタのソース（又は第１の端子など）と、ドレイン（又は第２の端子など）とを、区別して、技術的範囲を決定することができる。
【００４８】
なお、これらの表現方法は、一例であり、これらの表現方法に限定されない。ここで、Ｘ、Ｙ、Ｚ１、Ｚ２は、対象物（例えば、装置、素子、回路、配線、電極、端子、導電膜、層、など）であるとする。
【００４９】
なお、回路図上は独立している構成要素同士が電気的に接続しているように図示されている場合であっても、１つの構成要素が、複数の構成要素の機能を併せ持っている場合もある。例えば配線の一部が電極としても機能する場合は、一の導電膜が、配線の機能、及び電極の機能の両方の構成要素の機能を併せ持っている。したがって、本明細書における電気的に接続とは、このような、一の導電膜が、複数の構成要素の機能を併せ持っている場合も、その範疇に含める。
【００５０】
また、本明細書等において「電極」や「配線」の用語は、これらの構成要素を機能的に限定するものではない。例えば、「電極」は「配線」の一部として用いられることがあり、その逆もまた同様である。さらに、「電極」や「配線」の用語は、複数の「電極」や「配線」が一体となって形成されている場合なども含む。
【００５１】
また、電圧とは２点間における電位差のことをいい、電位とはある一点における静電場の中にある単位電荷が持つ静電エネルギー（電気的な位置エネルギー）のことをいう。ただし、一般的に、ある一点における電位と基準となる電位（例えば接地電位）との電位差のことを、単に電位もしくは電圧と呼び、電位と電圧が同義語として用いられる場合がある。このため、電位を電圧と読み替えてもよい場合があるし、電圧を電位と読み替えてもよい場合がある。
【００５２】
なお、一般に、電位や電圧は、相対的なものである。したがって、グラウンド電位や接地電位とは、必ずしも、０ボルトであるとは限定されない。
【００５３】
また、図面において、大きさ、層の厚さ、または領域は、明瞭化のために誇張されている場合がある。よって、必ずしもそのスケールに限定されない。なお図面は、理想的な例を模式的に示したものであり、図面に示す形状または値などに限定されない。例えば、ノイズによる信号、電圧、若しくは電流のばらつき、または、タイミングのずれによる信号、電圧、若しくは電流のばらつきなどを含むことが可能である。
【００５４】
また本明細書等において図面における各回路ブロックの配置は、説明のため位置関係を特定するものであり、異なる回路ブロックで別々の機能を実現するよう図面で示していても、実際の回路や領域では、同じ回路や同じ領域内で別々の機能を実現しうるように設けられている場合もある。また図面における各回路ブロックの機能は、説明のため機能を特定するものであり、一つの回路ブロックとして示していても、実際の回路や領域では、一つの回路ブロックで行う処理を複数の回路ブロックで行うよう設けられている場合もある。
【００５５】
例えば、本明細書等において、表示素子、表示素子を有する装置である表示装置、発光素子、及び発光素子を有する装置である発光装置は、様々な形態を用いること、又は様々な素子を有することが出来る。表示素子、表示装置、発光素子又は発光装置の一例としては、ＥＬ（エレクトロルミネッセンス）素子（有機物及び無機物を含むＥＬ素子、有機ＥＬ素子、無機ＥＬ素子）、ＬＥＤ（白色ＬＥＤ、赤色ＬＥＤ、緑色ＬＥＤ、青色ＬＥＤなど）、トランジスタ（電流に応じて発光するトランジスタ）、電子放出素子、液晶素子、電子インク、電気泳動素子、グレーティングライトバルブ（ＧＬＶ）、プラズマディスプレイ（ＰＤＰ）、ＭＥＭＳ（マイクロ・エレクトロ・メカニカル・システム）を用いた表示素子、デジタルマイクロミラーデバイス（ＤＭＤ）、ＤＭＳ（デジタル・マイクロ・シャッター）、ＭＩＲＡＳＯＬ（登録商標）、ＩＭＯＤ（インターフェアレンス・モジュレーション）素子、エレクトロウェッティング素子、圧電セラミックディスプレイ、カーボンナノチューブ、など、電気磁気的作用により、コントラスト、輝度、反射率、透過率などが変化する表示媒体を有するものがある。ＥＬ素子を用いた表示装置の一例としては、ＥＬディスプレイなどがある。電子放出素子を用いた表示装置の一例としては、フィールドエミッションディスプレイ（ＦＥＤ）又はＳＥＤ方式平面型ディスプレイ（ＳＥＤ：Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）などがある。液晶素子を用いた表示装置の一例としては、液晶ディスプレイ（透過型液晶ディスプレイ、半透過型液晶ディスプレイ、反射型液晶ディスプレイ、直視型液晶ディスプレイ、投射型液晶ディスプレイ）などがある。電子インク又は電気泳動素子を用いた表示装置の一例としては、電子ペーパーなどがある。
【００５６】
例えば、本明細書等において、トランジスタとして、様々な構造のトランジスタを用いることが出来る。よって、用いるトランジスタの種類に限定はない。トランジスタの一例としては、単結晶シリコンを有するトランジスタ、または、非晶質シリコン、多結晶シリコン、微結晶（マイクロクリスタル、ナノクリスタル、セミアモルファスとも言う）シリコンなどに代表される非単結晶半導体膜を有するトランジスタなどを用いることが出来る。または、それらの半導体を薄膜化した薄膜トランジスタ（ＴＦＴ）などを用いることが出来る。ＴＦＴを用いる場合、様々なメリットがある。例えば、単結晶シリコンの場合よりも低い温度で製造できるため、製造コストの削減、又は製造装置の大型化を図ることができる。製造装置を大きくできるため、大型基板上に製造できる。そのため、同時に多くの個数の表示装置を製造できるため、低コストで製造できる。または、製造温度が低いため、耐熱性の弱い基板を用いることができる。そのため、透光性を有する基板上にトランジスタを製造できる。または、透光性を有する基板上のトランジスタを用いて表示素子での光の透過を制御することが出来る。または、トランジスタの膜厚が薄いため、トランジスタを形成する膜の一部は、光を透過させることが出来る。そのため、開口率が向上させることができる。
【００５７】
なお、多結晶シリコンを製造するときに、触媒（ニッケルなど）を用いることにより、結晶性をさらに向上させ、電気特性のよいトランジスタを製造することが可能となる。その結果、ゲートドライバ回路（走査線駆動回路）、ソースドライバ回路（信号線駆動回路）、及び信号処理回路（信号生成回路、ガンマ補正回路、ＤＡ変換回路など）を基板上に一体形成することが出来る。
【００５８】
なお、微結晶シリコンを製造するときに、触媒（ニッケルなど）を用いることにより、結晶性をさらに向上させ、電気特性のよいトランジスタを製造することが可能となる。このとき、レーザー照射を行うことなく、熱処理を加えるだけで、結晶性を向上させることも可能である。その結果、ソースドライバ回路の一部（アナログスイッチなど）及びゲートドライバ回路（走査線駆動回路）を基板上に一体形成することが出来る。なお、結晶化のためにレーザー照射を行わない場合は、シリコンの結晶性のムラを抑えることができる。そのため、画質の向上した画像を表示することが出来る。ただし、触媒（ニッケルなど）を用いずに、多結晶シリコン又は微結晶シリコンを製造することは可能である。
【００５９】
なお、シリコンの結晶性を、多結晶又は微結晶などへと向上させることは、パネル全体で行うことが望ましいが、それに限定されない。パネルの一部の領域のみにおいて、シリコンの結晶性を向上させてもよい。選択的に結晶性を向上させることは、レーザー光を選択的に照射することなどにより可能である。例えば、画素以外の領域である周辺回路領域にのみ、ゲートドライバ回路及びソースドライバ回路などの領域にのみ、又はソースドライバ回路の一部（例えば、アナログスイッチ）の領域にのみ、にレーザー光を照射してもよい。その結果、回路を高速に動作させる必要がある領域にのみ、シリコンの結晶化を向上させることができる。画素領域は、高速に動作させる必要性が低いため、結晶性が向上されなくても、問題なく画素回路を動作させることが出来る。こうすることによって、結晶性を向上させる領域が少なくて済むため、製造工程も短くすることが出来る。そのため、スループットが向上し、製造コストを低減させることが出来る。または、必要とされる製造装置の数も少ない数で製造できるため、製造コストを低減させることが出来る。
【００６０】
なお、トランジスタの一例としては、化合物半導体（例えば、ＳｉＧｅ、ＧａＡｓなど）、又は、酸化物半導体（例えば、ＺｎＯ、ＩｎＧａＺｎＯ、ＩＺＯ（インジウム亜鉛酸化物）、ＩＴＯ（インジウム錫酸化物）、ＳｎＯ、ＴｉＯ、ＡｌＺｎＳｎＯ（ＡＺＴＯ）、ＩＴＺＯ（Ｉｎ−Ｓｎ−Ｚｎ−Ｏ）など）などを有するトランジスタを用いることが出来る。または、これらの化合物半導体、又は、これらの酸化物半導体を薄膜化した薄膜トランジスタなどを用いることが出来る。これらにより、製造温度を低くできるので、例えば、室温でトランジスタを製造することが可能となる。その結果、耐熱性の低い基板、例えばプラスチック基板又はフィルム基板などに直接トランジスタを形成することが出来る。なお、これらの化合物半導体又は酸化物半導体を、トランジスタのチャネル部分に用いるだけでなく、それ以外の用途で用いることも出来る。例えば、これらの化合物半導体又は酸化物半導体を配線、抵抗素子、画素電極、又は透光性を有する電極などとして用いることができる。それらをトランジスタと同時に成膜又は形成することが可能なため、コストを低減できる。
【００６１】
なお、トランジスタの一例としては、インクジェット法又は印刷法を用いて形成したトランジスタなどを用いることが出来る。これらにより、室温で製造、低真空度で製造、又は大型基板上に製造することができる。よって、マスク（レチクル）を用いなくても製造することが可能となるため、トランジスタのレイアウトを容易に変更することが出来る。または、レジストを用いらずに製造することが可能なので、材料費が安くなり、工程数を削減できる。または、必要な部分にのみ膜を付けることが可能なので、全面に成膜した後でエッチングする、という製法よりも、材料が無駄にならず、低コストにできる。
【００６２】
なお、トランジスタの一例としては、有機半導体やカーボンナノチューブを有するトランジスタ等を用いることができる。これらにより、曲げることが可能な基板上にトランジスタを形成することが出来る。有機半導体やカーボンナノチューブを有するトランジスタを用いた装置は、衝撃に強くすることができる。
【００６３】
なお、トランジスタとしては、他にも様々な構造のトランジスタを用いることができる。例えば、トランジスタとして、ＭＯＳ型トランジスタ、接合型トランジスタ、バイポーラトランジスタなどを用いることが出来る。トランジスタとしてＭＯＳ型トランジスタを用いることにより、トランジスタのサイズを小さくすることが出来る。よって、多数のトランジスタを搭載することができる。トランジスタとしてバイポーラトランジスタを用いることにより、大きな電流を流すことが出来る。よって、高速に回路を動作させることができる。なお、ＭＯＳ型トランジスタとバイポーラトランジスタとを１つの基板に混在させて形成してもよい。これにより、低消費電力、小型化、高速動作などを実現することが出来る。
【００６４】
例えば、本明細書等において、トランジスタの一例としては、ゲート電極が２個以上のマルチゲート構造のトランジスタを用いることができる。マルチゲート構造にすると、チャネル領域が直列に接続されるため、複数のトランジスタが直列に接続された構造となる。よって、マルチゲート構造により、オフ電流の低減、トランジスタの耐圧向上（信頼性の向上）を図ることができる。または、マルチゲート構造により、飽和領域で動作する時に、ドレインとソースとの間の電圧が変化しても、ドレインとソースとの間の電流があまり変化せず、傾きがフラットである電圧・電流特性を得ることができる。傾きがフラットである電圧・電流特性を利用すると、理想的な電流源回路、又は非常に高い抵抗値をもつ能動負荷を実現することが出来る。その結果、特性のよい差動回路又はカレントミラー回路などを実現することが出来る。
【００６５】
なお、トランジスタの一例としては、チャネルの上下にゲート電極が配置されている構造のトランジスタを適用することができる。チャネルの上下にゲート電極が配置される構造にすることにより、複数のトランジスタが並列に接続されたような回路構成となる。よって、チャネル領域が増えるため、電流値の増加を図ることができる。または、チャネルの上下にゲート電極が配置されている構造にすることにより、空乏層ができやすくなるため、Ｓ値の改善を図ることができる。
【００６６】
なお、トランジスタの一例としては、チャネル領域の上にゲート電極が配置されている構造、チャネル領域の下にゲート電極が配置されている構造、正スタガ構造、逆スタガ構造、チャネル領域を複数の領域に分けた構造、チャネル領域を並列に接続した構造、又はチャネル領域が直列に接続する構造などのトランジスタを用いることができる。または、トランジスタとして、プレーナ型、ＦＩＮ型（フィン型）、ＴＲＩ−ＧＡＴＥ型（トライゲート型）、トップゲート型、ボトムゲート型、ダブルゲート型（チャネルの上下にゲートが配置されている）、など、様々な構成をとることが出来る。
【００６７】
なお、トランジスタの一例としては、チャネル領域（もしくはその一部）にソース電極やドレイン電極が重なっている構造のトランジスタを用いることができる。チャネル領域（もしくはその一部）にソース電極やドレイン電極が重なる構造にすることによって、チャネル領域の一部に電荷が溜まることにより動作が不安定になることを防ぐことができる。
【００６８】
なお、トランジスタの一例としては、ＬＤＤ領域を設けた構造を適用できる。ＬＤＤ領域を設けることにより、オフ電流の低減、又はトランジスタの耐圧向上（信頼性の向上）を図ることができる。または、ＬＤＤ領域を設けることにより、飽和領域で動作する時に、ドレインとソースとの間の電圧が変化しても、ドレイン電流があまり変化せず、傾きがフラットな電圧・電流特性を得ることができる。
【００６９】
例えば、本明細書等において、様々な基板を用いて、トランジスタを形成することが出来る。基板の種類は、特定のものに限定されることはない。その基板の一例としては、半導体基板（例えば単結晶基板又はシリコン基板）、ＳＯＩ基板、ガラス基板、石英基板、プラスチック基板、金属基板、ステンレス・スチル基板、ステンレス・スチル・ホイルを有する基板、タングステン基板、タングステン・ホイルを有する基板、可撓性基板、貼り合わせフィルム、繊維状の材料を含む紙、又は基材フィルムなどがある。ガラス基板の一例としては、バリウムホウケイ酸ガラス、アルミノホウケイ酸ガラス、又はソーダライムガラスなどがある。可撓性基板の一例としては、ポリエチレンテレフタレート（ＰＥＴ）、ポリエチレンナフタレート（ＰＥＮ）、ポリエーテルサルフォン（ＰＥＳ）に代表されるプラスチック、又はアクリル等の可撓性を有する合成樹脂などがある。貼り合わせフィルムの一例としては、ポリプロピレン、ポリエステル、ポリフッ化ビニル、又はポリ塩化ビニルなどがある。基材フィルムの一例としては、ポリエステル、ポリアミド、ポリイミド、無機蒸着フィルム、又は紙類などがある。特に、半導体基板、単結晶基板、又はＳＯＩ基板などを用いてトランジスタを製造することによって、特性、サイズ、又は形状などのばらつきが少なく、電流能力が高く、サイズの小さいトランジスタを製造することができる。このようなトランジスタによって回路を構成すると、回路の低消費電力化、又は回路の高集積化を図ることができる。
【００７０】
なお、ある基板を用いてトランジスタを形成し、その後、別の基板にトランジスタを転置し、別の基板上にトランジスタを配置してもよい。トランジスタが転置される基板の一例としては、上述したトランジスタを形成することが可能な基板に加え、紙基板、セロファン基板、石材基板、木材基板、布基板（天然繊維（絹、綿、麻）、合成繊維（ナイロン、ポリウレタン、ポリエステル）若しくは再生繊維（アセテート、キュプラ、レーヨン、再生ポリエステル）などを含む）、皮革基板、又はゴム基板などがある。これらの基板を用いることにより、特性のよいトランジスタの形成、消費電力の小さいトランジスタの形成、壊れにくい装置の製造、耐熱性の付与、軽量化、又は薄型化を図ることができる。
【００７１】
なお、所定の機能を実現させるために必要な回路の全てを、同一の基板（例えば、ガラス基板、プラスチック基板、単結晶基板、又はＳＯＩ基板など）に形成することが可能である。こうして、部品点数の削減によるコストの低減、又は回路部品との接続点数の低減による信頼性の向上を図ることができる。
【００７２】
なお、所定の機能を実現させるために必要な回路の全てを同じ基板に形成しないことが可能である。つまり、所定の機能を実現させるために必要な回路の一部は、ある基板に形成され、所定の機能を実現させるために必要な回路の別の一部は、別の基板に形成されていることが可能である。例えば、所定の機能を実現させるために必要な回路の一部は、ガラス基板に形成され、所定の機能を実現させるために必要な回路の別の一部は、単結晶基板（又はＳＯＩ基板）に形成されることが可能である。そして、所定の機能を実現させるために必要な回路の別の一部が形成される単結晶基板（ＩＣチップともいう）を、ＣＯＧ（Ｃｈｉｐ  Ｏｎ  Ｇｌａｓｓ）によって、ガラス基板に接続して、ガラス基板にそのＩＣチップを配置することが可能である。または、ＩＣチップを、ＴＡＢ（Ｔａｐｅ  Ａｕｔｏｍａｔｅｄ  Ｂｏｎｄｉｎｇ）、ＣＯＦ（Ｃｈｉｐ  Ｏｎ  Ｆｉｌｍ）、ＳＭＴ（Ｓｕｒｆａｃｅ  Ｍｏｕｎｔ  Ｔｅｃｈｎｏｌｏｇｙ）、又はプリント基板などを用いてガラス基板と接続することが可能である。このように、回路の一部が画素部と同じ基板に形成されていることにより、部品点数の削減によるコストの低減、又は回路部品との接続点数の低減による信頼性の向上を図ることができる。特に、駆動電圧が大きい部分の回路、又は駆動周波数が高い部分の回路などは、消費電力が大きくなってしまう場合が多い。そこで、このような回路を、画素部とは別の基板（例えば単結晶基板）に形成して、ＩＣチップを構成する。このＩＣチップを用いることによって、消費電力の増加を防ぐことができる。
【００７３】
（実施の形態１）
本実施の形態では、本発明の一態様の発光装置の駆動方法について説明する。
【００７４】
この発光装置は、一例としては、表示機能と、カメラで撮影する対象である被写体に対する照明機能とを有している。表示機能は、文字や画像を表示する機能であり、通常の表示装置としての機能である。照明機能は、照明光を照射する機能であり、被写体などの照度を向上させる機能である。そして、この発光装置は、それらの機能または動作を切り替えることが出来る。ただし、一例としては、表示機能を実現する場合の駆動方法や状態と、照明機能を実現する場合の駆動方法や状態とは、それぞれ異なっている。
【００７５】
なお、照明機能は、被写体の照度を向上させること以外の目的や機能を有していてもよい。例えば、単に、暗い部分を明るくすることを行ってもよいし、防犯対策や交通対策などの用途として、利用してもよい。例えば、だれかに襲われそうになったときに、照明を相手に照らして、目くらましをして、防犯対策として利用してもよい。または、例えば、自転車に乗りながら、照明を照らして、自分の自転車が存在することを周囲の車に知らせるようにしてもよい。
【００７６】
一例としては、発光装置は、２つの動作モードを有している。つまり、一例としては、２つの異なる駆動方法によって、発光装置が動作している。
【００７７】
まず、第１の動作モードにおける駆動方法について述べる。ここでは、表示機能を実現する場合の駆動方法に相当する。図１（Ａ）に示すように、容量素子１１０には、外部（図示さず）から入力されたビデオ信号に応じた電圧が保持されている。スイッチ１１８は、オフ状態となっている。そのため、配線１０４から、トランジスタ１０８を介して、負荷１０６に電流が供給される。トランジスタ１０８は、容量素子１１０に保持された電圧に応じて、負荷１０６に流れる電流の大きさを制御することが出来る。したがって、容量素子１１０に、表示したい映像に応じた電圧を保持させることにより、表示を行うことが出来る。
【００７８】
次に、第２の動作モードにおける駆動方法について述べる。ここでは、照明機能を実現する場合の駆動方法に相当する。図１（Ｂ）に示すように、スイッチ１１８は、オン状態となっている。そのため、トランジスタ１０８のゲートには、配線１２４の電位が供給される。配線１２４の電位は、負荷１０６と接続されている配線１２２と同様に、低い電位となっている。そのため、配線１０４とトランジスタ１０８のゲートとの間の電圧、つまり、トランジスタ１０８のゲートソース間電圧の絶対値は、非常に大きくなる。その結果、負荷１０６には、非常に大きな電流を流すことが出来る。ここで、負荷１０６が発光素子を有する場合には、発光素子の輝度が非常に明るくなる。そのため、照明機能として、被写体に十分に大きな照度で照らすことが出来る。
【００７９】
このように、自発光型のディスプレイを用いる場合、各画素の輝度を自由に大きくできるため、通常の輝度を用いた表示機能と、高い輝度を用いた照明機能とを、自在に切り替えることが出来る。
【００８０】
ここで、トランジスタ１０８の動作領域について考える。図２（Ａ）に、トランジスタ１０８と発光素子１０６Ａとを有する回路を示す。配線１０４とトランジスタ１０８のゲートとの間の電圧、つまり、トランジスタ１０８のゲートソース間電圧の絶対値｜ＶＧＳ｜を横軸にとり、トランジスタ１０８と発光素子１０６Ａとに流れる電流ＩＤＳを縦軸にとった場合のグラフを、図２（Ｂ）に示す。
【００８１】
トランジスタ１０８のゲートソース間電圧の絶対値｜ＶＧＳ｜を大きくしていき、トランジスタ１０８のしきい値電圧の絶対値｜ＶＴＨ｜よりも大きくなると、電流が流れ始める。そして、トランジスタ１０８のゲートソース間電圧の絶対値｜ＶＧＳ｜をＶＳＡＴの値まで大きくする。このとき、ＩＳＡＴの値の電流が流れる。ここまでの領域では、電流が流れているときには、トランジスタ１０８は、飽和領域で動作する。そのため、トランジスタ１０８のドレインソース間の電圧が変化しても、トランジスタ１０８に流れる電流値はほとんど変化しない。つまり、トランジスタ１０８は、電流源として機能する。発光素子１０６Ａは、電流源によって制御されるため、発光素子の電圧電流特性が劣化しても、発光素子に流れる電流の電流値が変わらない。つまり、定電流駆動によって、発光素子が駆動されていると言える。言い換えると、電流源によって、発光素子が駆動されていると言える。そのため、発光素子の劣化の影響が出にくくなり、表示ムラや焼き付きなどを低減することが出来る。表示機能を実現する場合には、電流が流れている場合には、この動作領域（飽和領域）で動作させることが望ましい。
【００８２】
ここで、電流源は、電流源の両端に加わる電圧の大きさが変化しても、一定の電流を供給する機能を有している。または、例えば、電流源は、電流源と接続された素子の電位が変化しても、素子に一定の電流を供給する機能を有している。
【００８３】
なお、電流源とは別の電源として、電圧源がある。電圧源は、それに接続された回路に流れる電流が変化しても、一定の電圧を供給する機能を有している。したがって、電圧源も電流源も、電圧と電流とを供給する機能を有しているが、何が変化しても、一定の何を供給する機能を有しているのか、という点で、異なった機能を有するものである。電流源は、両端の電圧が変化しても、一定の電流を供給する機能を有し、電圧源は、電流が変化しても、一定の電圧を供給する機能を有している。
【００８４】
次に、トランジスタ１０８のゲートソース間電圧の絶対値｜ＶＧＳ｜をＶＳＡＴの値よりも大きくする。例えば、トランジスタ１０８のゲートソース間電圧の絶対値｜ＶＧＳ｜をＶＦＬＡの値にする。このとき、ＩＳＡＴの値よりも大きなＩＦＬＡの値の電流が流れる。トランジスタ１０８のゲートソース間電圧の絶対値｜ＶＧＳ｜がＶＳＡＴの値よりも大きい領域では、電流が流れているときには、トランジスタ１０８は、線形領域で動作する。そのため、トランジスタ１０８のドレインソース間の電圧が変化すると、トランジスタ１０８に流れる電流値も変化する。つまり、トランジスタ１０８は、スイッチとして機能する。つまり、発光素子１０６Ａに流れる電流は、発光素子１０６Ａに供給される電圧、すなわち、配線１０４と配線１２２との間の電圧によって制御される。そのため、発光素子の電圧電流特性が劣化すると、発光素子に流れる電流の電流値が変わってしまう。つまり、定電圧駆動によって、発光素子が駆動されていると言える。言い換えると、配線１０４に接続された電圧源によって、発光素子が駆動されていると言える。そのため、発光素子の劣化の影響が出やすくなる。しかし、大きな電流が流れるため、大きな輝度で発光させることが出来る。仮に、何等かの画像を表示させたい場合には、ムラや焼き付きが見えてしまう場合があるが、単なる光源として利用する場合には、そのようなムラや焼き付きは、大きな問題にならない。したがって、照明機能を実現する場合には、電流が流れている場合には、この動作領域（線形領域）で動作させることが望ましい。
【００８５】
つまり、表示機能を実現する場合には、電流が流れているときには、トランジスタ１０８を飽和領域で動作させ、トランジスタ１０８を電流源として動作させ、定電流駆動で発光素子１０６Ａを駆動することが好適である。一方、照明機能を実現する場合には、電流が流れているときには、トランジスタ１０８を線形領域で動作させ、トランジスタ１０８をスイッチとして動作させ、定電圧駆動で発光素子１０６Ａを駆動することが好適である。ただし、本発明の実施形態の一態様は、これらに限定されない。
【００８６】
なお、照明機能を実現する場合の輝度は、表示機能を実現する場合における最も明るい階調を表示しているときの輝度の、１．５倍以上、より好ましくは２倍以上が好適である。または、照明機能を実現する場合のトランジスタ１０８のゲートソース間電圧の絶対値｜ＶＧＳ｜は、表示機能を実現する場合における最も明るい階調を表示しているときのトランジスタ１０８のゲートソース間電圧の絶対値｜ＶＧＳ｜の、１．５倍以上、より好ましくは２倍以上が好適である。または、照明機能を実現する場合の発光素子１０６Ａの電流値は、表示機能を実現する場合における最も明るい階調を表示しているときの電流値の、１．５倍以上、より好ましくは２倍以上が好適である。または、照明機能を実現する場合のトランジスタ１０８のゲートソース間電圧の絶対値｜ＶＧＳ｜は、配線１０４と配線１２２との間の電圧の大きさの、０．６倍以上、より好ましくは１倍以上が好適である。または、照明機能を実現する場合のトランジスタ１０８のゲートソース間電圧の絶対値｜ＶＧＳ｜は、配線１０４と配線１２２との間の電圧の大きさの、２倍以下、より好ましくは１．５倍以下が好適である。ただし、本発明の実施形態の一態様は、これらに限定されない。
【００８７】
なお、照明機能を実現する場合に、大きな輝度で発光できるようにするため、配線１２４を配線１２２と接続させてもよい。図３（Ａ）、図３（Ｂ）では、配線１２４を配線１２２にまとめて、１本の配線とした場合の例を示す。
【００８８】
なお、図１などでは、トランジスタ１０８がＰチャネル型の場合の例を示したが、本発明の実施形態の一態様は、これに限定されない。配線１０４、配線１２２、配線１２４などの電位の大小関係を逆にしたり、発光素子１０６Ａの向きを逆にすることなどにより、図３（Ｃ）、図３（Ｄ）に示すように、トランジスタ１０８がＮチャネル型の場合でも同様に動作させることが出来る。
【００８９】
なお、照明機能を実現する場合、トランジスタ１０８が電流を流している間、図１（Ｂ）に示すように、ずっと、スイッチ１１８がオン状態となっていてもよい。これにより、トランジスタ１０８のゲートの電位が安定する。ただし、本発明の実施形態の一態様は、これに限定されない。図１（Ｂ）のようになったあと、図１（Ａ）のように、スイッチ１１８をオフ状態としてもよい。その場合、容量素子１１０において、電圧が保持されるため、トランジスタ１０８は、適切な電流を供給することが出来る。なお、トランジスタ１０８の寄生容量などを活用することなどにより、図１（Ｃ）に示すように、容量素子１１０を省略することも可能である。または、図１（Ｄ）に示すように、容量素子１１０の一方の端子と、トランジスタ１０８のゲートとの間は、導通状態にあり、容量素子１１０の他方の端子は、フローティング状態にあってもよい。その場合でも、スイッチ１１８がオン状態となっているため、トランジスタ１０８は、適切な電流を供給することが出来る。
【００９０】
なお、図１（Ａ）、図１（Ｂ）、図１（Ｃ）では、配線１０４に、トランジスタ１０８と容量素子１１０とが接続されていたが、本発明の実施形態の一態様は、これに限定されない。図４（Ａ）、図４（Ｂ）に示すように、配線１０４Ａと配線１０４Ｂとに、それぞれ接続されていてもよい。
【００９１】
なお、本実施の形態では、表示機能と照明機能とを切り替えて動作させる場合の一例を示したが、本発明の実施形態の一態様は、これに限定されない。場合によっては、または、状況に応じて、表示機能のみを動作させてもよいし、照明機能のみを動作させてもよい。
【００９２】
本実施の形態は、基本原理の一例について述べたものである。したがって、本実施の形態の一部または全部について、他の実施の形態の一部また全部と、自由に組み合わせたり、適用したり、置き換えて実施することができる。
【００９３】
（実施の形態２）
本実施の形態では、本発明の一態様の発光装置の具体例と、その駆動方法について説明する。
【００９４】
図５に、図１（Ａ）の回路を用いた具体的な回路例を示す。図５は、１つ分の画素に相当する。配線１０２は、スイッチ３１２を介して、トランジスタ１０８のゲートと接続されている。
【００９５】
配線１０２は、ビデオ信号を供給したり伝達したりすることができる機能を有している。または、配線１０２には、プリチャージ信号や初期化信号が供給される場合もある。または、配線１０２は、スイッチ３１２に、信号を供給したり伝達したりすることができる機能を有している。よって、配線１０２は、ビデオ信号線、ソース信号線、初期化信号線、などの少なくとも一つの機能を有している。
【００９６】
配線１０４は、トランジスタ１０８に電圧や電流を供給したり伝達したりすることができる機能を有している。または、配線１０４は、負荷１０６に電圧や電流を供給したり伝達したりすることができる機能を有している。または、配線１０４は、負荷１０６に、逆バイアス電圧を供給したり伝達したりすることができる機能を有している。または、配線１０４は、容量素子１１０に電圧や電流を供給したり伝達したりすることができる機能を有している。よって、配線１０４は、電流供給線、電源線、容量配線、などの少なくとも一つの機能を有している。なお、配線１０４の電位は、一定であることが望ましい。ただし、本発明の実施形態の一態様は、これに限定されず、パルス信号が供給される場合もある。
【００９７】
配線１２４は、トランジスタ１０８のゲートに電圧を供給したり伝達したりすることができる機能を有している。または、配線１２４は、トランジスタ１０８の動作領域を制御できるような電位を供給したり伝達したりすることができる機能を有している。または、配線１２４は、トランジスタ１０８を初期化するような電位を供給したり伝達したりすることができる機能を有している。または、配線１２４は、トランジスタ１０８をオン状態とするような電位を供給したり伝達したりすることができる機能を有している。または、配線１２４は、照明機能を実現するための電位を供給したり伝達したりすることができる機能を有している。または、配線１２４は、容量素子１１０に電圧や電流を供給したり伝達したりすることができる機能を有している。または、配線１２４は、スイッチ１１８に電圧や電流を供給したり伝達したりすることができる機能を有している。よって、配線１２４は、電源線、初期化配線、照明機能制御用配線、動作領域制御配線などの少なくとも一つの機能を有している。なお、配線１２４の電位は、一定であることが望ましい。ただし、本発明の実施形態の一態様は、これに限定されず、パルス信号が供給される場合もある。
【００９８】
トランジスタ１０８は、負荷１０６に流れる電流の大きさを制御したりすることができる機能を有している。よって、トランジスタ１０８は、駆動トランジスタ、電流制御トランジスタ、などの少なくとも一つの機能を有している。
【００９９】
スイッチ３１２は、配線１０２とトランジスタ１０８のゲートとの間の導通状態を制御することができる機能を有している。または、スイッチ３１２は、画素を選択することができる機能を有している。または、スイッチ３１２は、ビデオ信号を画素に供給するか否かを制御することができる機能を有している。よって、スイッチ３１２は、選択用スイッチ、スイッチング用スイッチ、などの少なくとも一つの機能を有している。
【０１００】
スイッチ１１８は、配線１２４とトランジスタ１０８のゲートとの間の導通状態を制御することができる機能を有している。または、スイッチ１１８は、照明機能を動作させるか否かを選択することができる機能を有している。または、スイッチ１１８は、トランジスタ１０８を線形領域で動作させるための電位を画素に供給するか否かを制御することができる機能を有している。または、スイッチ１１８は、トランジスタ１０８を初期化するかどうかを制御することができる機能を有している。または、スイッチ１１８は、トランジスタ１０８をオン状態とするか否かを制御することができる機能を有している。または、スイッチ１１８は、照明機能を実現するかどうかを制御することができる機能を有している。または、スイッチ１１８は、トランジスタ１０８のゲートに電圧を供給するか否かを制御することができる機能を有している。よって、スイッチ１１８は、制御用スイッチ、動作制御用スイッチ、機能切り替え用スイッチ、初期化用スイッチ、などの少なくとも一つの機能を有している。
【０１０１】
なお、配線１０４は、図４と同様に、配線１０４Ａ、配線１０４Ｂなどに分けて配置してもよい。その場合の回路図を、図６に示す。
【０１０２】
配線１０４Ａは、トランジスタ１０８に電圧や電流を供給したり伝達したりすることができる機能を有している。または、配線１０４Ａは、負荷１０６に電圧や電流を供給したり伝達したりすることができる機能を有している。または、配線１０４Ａは、負荷１０６に、逆バイアス電圧を供給したり伝達したりすることができる機能を有している。または、配線１０４Ｂは、容量素子１１０に電圧や電流を供給したり伝達したりすることができる機能を有している。よって、配線１０４Ａは、電流供給線、電源線、などの少なくとも一つの機能を有している。または、配線１０４Ｂは、容量配線、電源線、などの少なくとも一つの機能を有している。なお、配線１０４Ａや配線１０４Ｂの電位は、一定であることが望ましい。ただし、本発明の実施形態の一態様は、これに限定されず、パルス信号が供給される場合もある。特に、配線１０４Ｂの電位を変化させることにより、容量結合を利用して、トランジスタ１０８のゲート電位を制御することが出来る。
【０１０３】
なお、配線１２４は、図３（Ａ）、図３（Ｂ）と同様に、配線１２２と接続してもよい。その場合の回路図を、図６に示す。
【０１０４】
次に、駆動方法について述べる。まず、第１の動作モードにおける駆動方法について述べる。ここでは、表示機能を実現する場合の駆動方法に相当する。まず、図７（Ａ）に示すように、画素が選択されて、スイッチ３１２をオンになり、配線１０２から、ビデオ信号が容量素子１１０に供給される。そして、図７（Ｂ）に示すように、画素が非選択となり、スイッチ３１２がオフになって、ビデオ信号に応じた電圧が容量素子１１０に保持される。負荷１０６には、トランジスタ１０８によって、電流が供給される。その電流の大きさは、ビデオ信号の大きさに応じた大きさとなっている。
【０１０５】
次に、第２の動作モードにおける駆動方法について述べる。ここでは、照明機能を実現する場合の駆動方法に相当する。まず、図７（Ｃ）に示すように、スイッチ１１８がオンになり、トランジスタ１０８のゲートに配線１２４の電位が供給される。トランジスタ１０８のゲートソース間電圧の絶対値が大きいため、負荷１０６には、大きな電流が流れる。なお、次に、図７（Ｂ）に示すように、スイッチ１１８をオフにしてもよい。その場合、容量素子１１０に、配線１２４の電位が保持されることとなり、それに応じた大きさの電流がトランジスタ１０８から負荷１０６へ供給される。
【０１０６】
次に、図５において、スイッチをトランジスタで実現した場合の回路例を図８で示す。
【０１０７】
例えば、本明細書等において、スイッチとしては、様々な形態のものを用いることができる。スイッチは、導通状態（オン状態）、または、非導通状態（オフ状態）になり、電流を流すか流さないかを制御する機能を有している。または、スイッチは、電流を流す経路を選択して切り替える機能を有し、例えば、経路１に電流を流すことが出来るようにするか、経路２に電流を流すことができるようにするかを選択して切り替える機能を有している。スイッチの一例としては、電気的スイッチ又は機械的なスイッチなどを用いることができる。つまり、スイッチは、電流を制御できるものであればよく、特定のものに限定されない。スイッチの一例としては、トランジスタ（例えば、バイポーラトランジスタ、ＭＯＳトランジスタなど）、ダイオード（例えば、ＰＮダイオード、ＰＩＮダイオード、ショットキーダイオード、ＭＩＭ（Ｍｅｔａｌ  Ｉｎｓｕｌａｔｏｒ  Ｍｅｔａｌ）ダイオード、ＭＩＳ（Ｍｅｔａｌ  Ｉｎｓｕｌａｔｏｒ  Ｓｅｍｉｃｏｎｄｕｃｔｏｒ）ダイオード、ダイオード接続のトランジスタなど）、又はこれらを組み合わせた論理回路などがある。機械的なスイッチの一例としては、デジタルマイクロミラーデバイス（ＤＭＤ）のように、ＭＥＭＳ（マイクロ・エレクトロ・メカニカル・システム）技術を用いたスイッチがある。そのスイッチは、機械的に動かすことが可能な電極を有し、その電極が動くことによって、導通と非導通とを制御して動作する。
【０１０８】
なお、スイッチとしてトランジスタを用いる場合、そのトランジスタは単なるスイッチとして動作するため、トランジスタの極性（導電型）は特に限定されない。ただし、オフ電流を抑えたい場合、オフ電流が少ない方の極性のトランジスタを用いることが望ましい。オフ電流が少ないトランジスタの一例としては、ＬＤＤ領域を有するトランジスタ、又はマルチゲート構造を有するトランジスタなどがある。
【０１０９】
なお、スイッチとしてトランジスタを用いる場合、スイッチとして動作させるトランジスタのソースの電位が、低電位側電源（Ｖｓｓ、ＧＮＤ、０Ｖなど）の電位に近い値で動作する場合は、スイッチとしてＮチャネル型トランジスタを用いることが望ましい。反対に、ソースの電位が、高電位側電源（Ｖｄｄなど）の電位に近い値で動作する場合は、スイッチとしてＰチャネル型トランジスタを用いることが望ましい。なぜなら、Ｎチャネル型トランジスタではソースが低電位側電源の電位に近い値で動作するとき、Ｐチャネル型トランジスタではソースが高電位側電源の電位に近い値で動作するとき、ゲートとソースとの間の電圧の絶対値を大きくできるからである。そのため、スイッチとして、より正確な動作を行うことができるからである。または、トランジスタがソースフォロワ動作をしてしまうことが少ないため、出力電圧の大きさが小さくなってしまうことが少ないからである。
【０１１０】
なお、スイッチとして、Ｎチャネル型トランジスタとＰチャネル型トランジスタとの両方を用いて、ＣＭＯＳ型のスイッチを用いてもよい。ＣＭＯＳ型のスイッチにすると、Ｐチャネル型トランジスタとＮチャネル型トランジスタとのどちらか一方が導通すれば、電流が流れるため、スイッチとして機能しやすくなる。よって、スイッチへの入力信号の電圧が高い場合でも、低い場合でも、適切に電圧を出力させることができる。または、スイッチをオン又はオフさせるための信号の電圧振幅値を小さくすることが出来るので、消費電力を小さくすることができる。
【０１１１】
なお、スイッチとしてトランジスタを用いる場合、スイッチは、入力端子（ソースまたはドレインの一方）と、出力端子（ソースまたはドレインの他方）と、導通を制御する端子（ゲート）とを有している場合がある。一方、スイッチとしてダイオードを用いる場合、スイッチは、導通を制御する端子を有していない場合がある。したがって、トランジスタよりもダイオードをスイッチとして用いた方が、端子を制御するための配線を少なくすることが出来る。
【０１１２】
図８では、スイッチをＮチャネル型トランジスタで実現した例を示している。ただし、本発明の実施形態の一態様は、これに限定されない。スイッチ３１２は、トランジスタ３１２Ａを用いて実現している。また、スイッチ１１８は、トランジスタ１１８Ａを用いて実現している。トランジスタ３１２Ａのゲートには、配線３２５が接続されている。トランジスタ１１８Ａのゲートには、配線３２６が接続されている。
【０１１３】
トランジスタ３１２Ａは、配線１０２とトランジスタ１０８のゲートとの間の導通状態を制御することができる機能を有している。または、トランジスタ３１２Ａは、画素を選択することができる機能を有している。または、トランジスタ３１２Ａは、ビデオ信号を画素に供給するか否かを制御することができる機能を有している。よって、トランジスタ３１２Ａは、選択用トランジスタ、スイッチング用トランジスタ、などの少なくとも一つの機能を有している。
【０１１４】
配線３２５は、配線１０２とトランジスタ１０８のゲートとの間の導通状態を制御する信号を供給したり伝達したりすることができる機能を有している。または、配線３２５は、画素を選択する信号を供給したり伝達したりすることができる機能を有している。または、配線３２５は、ビデオ信号を画素に供給するか否かを制御する信号を供給したり伝達したりすることができる機能を有している。よって、配線３２５は、選択用配線、選択用ゲート配線、スイッチング用配線、スイッチング用ゲート配線などの少なくとも一つの機能を有している。
【０１１５】
トランジスタ１１８Ａは、配線１２４とトランジスタ１０８のゲートとの間の導通状態を制御することができる機能を有している。または、トランジスタ１１８Ａは、照明機能を動作させるか否かを選択することができる機能を有している。または、トランジスタ１１８Ａは、トランジスタ１０８を線形領域で動作させるための電位を画素に供給するか否かを制御することができる機能を有している。または、トランジスタ１１８Ａは、トランジスタ１０８を初期化するかどうかを制御することができる機能を有している。または、トランジスタ１１８Ａは、照明機能を実現するかどうかを制御することができる機能を有している。または、トランジスタ１１８Ａは、トランジスタ１０８のゲートに電圧を供給するか否かを制御することができる機能を有している。よって、トランジスタ１１８Ａは、制御用トランジスタ、動作制御用トランジスタ、機能切り替え用トランジスタ、初期化用トランジスタ、などの少なくとも一つの機能を有している。
【０１１６】
配線３２６は、配線１２４とトランジスタ１０８のゲートとの間の導通状態を制御する信号を供給したり伝達したりすることができる機能を有している。または、配線３２６は、照明機能を動作させるか否かを選択する信号を供給したり伝達したりすることができる機能を有している。または、配線３２６は、トランジスタ１０８を線形領域で動作させるための電位を画素に供給するか否かを制御する信号を供給したり伝達したりすることができる機能を有している。または、配線３２６は、トランジスタ１０８を初期化するかどうかを制御する信号を供給したり伝達したりすることができる機能を有している。または、配線３２６は、照明機能を実現するかどうかを制御する信号を供給したり伝達したりすることができる機能を有している。または、配線３２６は、トランジスタ１０８のゲートに電圧を供給するか否かを制御する信号を供給したり伝達したりすることができる機能を有している。よって、配線３２６は、制御用配線、制御用ゲート配線、動作制御用配線、動作制御用ゲート配線、機能切り替え用配線、機能切り替え用ゲート配線、初期化用配線、初期化用ゲート配線、などの少なくとも一つの機能を有している。
【０１１７】
ここで、図８は、１画素分の回路図を示している。図９では、発光装置全体のブロック図を示す。画素部５０１には、画素がマトリクス状に配置されている。例えば、図８に示す画素が、マトリクス状に配置されている。画素部５０１の周囲には、駆動回路が配置されている。例えば、ゲート線駆動回路５０３Ａ、ゲート線駆動回路５０３Ｂが配置されている。ただし、ゲート線駆動回路は１つの場合もあるし、３個以上の場合もある。例えば、図８の場合には、配線３２５と配線３２６の一方は、ゲート線駆動回路５０３Ａと接続され、配線３２５と配線３２６の他方は、ゲート線駆動回路５０３Ｂと接続されている。または、配線３２６は、すべての画素に渡って、互いに接続され、ゲート線駆動回路とは接続されていない。その場合には、例えば、配線３２６には、パルス信号を出力することができる機能を有する回路が接続されている。図９において、画素部５０１の上側には、例えば、ビデオ線駆動回路５０２が配置されている。例えば、図８の場合には、配線１０２は、ビデオ線駆動回路５０２と接続されている。
【０１１８】
次に、各行の配線３２５と配線３２６のタイミングチャートを示す。まず、第１の動作モードにおけるタイミングチャートについて述べる。ここでは、表示機能を実現する場合のタイミングチャートに相当する。ここでは、簡単のため、３行目までのタイミングチャートを示す。図１０（Ａ）に示すように、１行目の配線３２５（１）、２行目の配線３２５（２）、３行目の配線３２５（３）と、１行ずつ、選択されていく。つまり、１行ずつ、選択信号が入力されていく。一方、１行目の配線３２６（１）、２行目の配線３２６（２）、３行目の配線３２６（３）、は、選択されず、非選択状態のままとなっている。
【０１１９】
次に、第２の動作モードにおけるタイミングチャートについて述べる。ここでは、照明機能を実現する場合のタイミングチャートに相当する。図１０（Ｂ）に示すように、１行目の配線３２６（１）、２行目の配線３２６（２）、３行目の配線３２６（３）と、１行ずつ、選択されていく。つまり、１行ずつ、選択信号が入力されていく。一方、１行目の配線３２５（１）、２行目の配線３２５（２）、３行目の配線３２５（３）、は、選択されず、非選択状態のままとなっている。
【０１２０】
このようにして、表示機能と、照明機能とを切り替えて、動作させることが出来る。
【０１２１】
なお、照明機能を実現する場合、画像を表示する必要がないため、必ずしも、配線３２６を１行ずつスキャンしていく必要はない。そのため、全行の配線３２６を一斉に選択状態にしてもよい。あるいは、配線３２６を１度スキャンすれば、その後すぐにスキャンする必要はない。そのような場合の第２の動作モードにおけるタイミングチャートを、図１１（Ａ）と図１１（Ｂ）に示す。図１１（Ａ）では、１度だけスキャンし、その直後はスキャンをしない場合の第２の動作モードにおけるタイミングチャートを示す。図１１（Ｂ）では、全行の配線３２６を一斉に選択状態にする場合の第２の動作モードにおけるタイミングチャートを示す。この場合、図１１（Ｂ）に示すように、第２の動作モードにおいては、配線３２６は、１行ずつスキャンする必要がないため、全行の配線３２６が互いに接続されていてもよい。
【０１２２】
なお、図１１（Ｂ）では、全行の配線３２６がずっと選択されていたが、図１２（Ａ）に示すように、１フレーム期間ごとに全行を選択してもよい。または、図１２（Ｂ）に示すように、１度だけ選択してもよい。照明機能を実現する場合には、画像を表示する必要がないため、信号を書き換える必要がない。そのため、１度だけ選択して、その後は選択しないようにしてもよい。ただし、いったん、表示機能を実現するために、各画素の信号を書き換えた場合には、再度、照明機能を実現するモードに入る場合には、配線３２６を選択しなおす必要がある。
【０１２３】
なお、図８では、スイッチとして、トランジスタ１１８Ａを用いた場合の例を示したが、本発明の実施形態の一態様は、これに限定されない。例えば、スイッチ１１８を、ダイオードを用いて実現してもよい。例えば、図１３に示すように、ダイオード接続されたトランジスタ１１８Ｂと、配線３２６Ａとを用いて実現してもよい。配線３２６Ａは、配線３２６と同様に動作させればよい。
【０１２４】
なお、図８などでは、トランジスタ１０８がＰチャネル型の場合の例を示したが、本発明の実施形態の一態様は、これに限定されない。図３（Ｃ）、図３（Ｄ）と同様に、各配線の電位の大小関係を逆にしたり、発光素子１０６Ａの向きを逆にすることなどにより、トランジスタ１０８がＮチャネル型の場合でも同様に動作させることが出来る。その場合の回路例を、図１４に示す。
【０１２５】
本実施の形態は、他の実施の形態の一部または全部について、変更、追加、修正、削除、応用、上位概念化、又は、下位概念化したものに相当する。したがって、本実施の形態の一部または全部について、他の実施の形態の一部または全部と自由に組み合わせたり、適用したり、置き換えて実施することができる。
【０１２６】
（実施の形態３）
本実施の形態では、本発明の一態様の発光装置の別の具体例と、その駆動方法について説明する。
【０１２７】
図１５に、図１（Ａ）の回路を用いた具体的な回路の別の例を示す。図１５は、１つ分の画素に相当する。配線１０２は、スイッチ１１２を介して、トランジスタ１０８のソースと接続されている。スイッチ１１４は、トランジスタ１０８のソースと配線１０４との間に接続されている。スイッチ１１６は、トランジスタ１０８のゲートとドレインとの間に接続されている。スイッチ１２０は、トランジスタ１０８のドレインと、負荷１０６との間に接続されている。
【０１２８】
配線１０２は、ビデオ信号を供給したり伝達したりすることができる機能を有している。また、配線１０２には、プリチャージ信号や初期化信号が供給される場合もある。または、配線１０２は、スイッチ１１２に、信号を供給したり伝達したりすることができる機能を有している。よって、配線１０２は、ビデオ信号線、ソース信号線、初期化信号線、などの少なくとも一つの機能を有している。
【０１２９】
配線１０４は、トランジスタ１０８に電圧や電流を供給したり伝達したりすることができる機能を有している。または、配線１０４は、負荷１０６に電圧や電流を供給したり伝達したりすることができる機能を有している。配線１０４は、負荷１０６に、逆バイアス電圧を供給したり伝達したりすることができる機能を有している。または、配線１０４は、スイッチ１１４に電圧や電流を供給したり伝達したりすることができる機能を有している。または、配線１０４は、容量素子１１０に電圧や電流を供給したり伝達したりすることができる機能を有している。よって、配線１０４は、電流供給線、電源線、容量配線、などの少なくとも一つの機能を有している。なお、配線１０４の電位は、一定であることが望ましい。ただし、本発明の実施形態の一態様は、これに限定されず、パルス信号が供給される場合もある。
【０１３０】
配線１２４は、トランジスタ１０８のゲートに電圧を供給したり伝達したりすることができる機能を有している。または、配線１２４は、トランジスタ１０８の動作領域を制御できるような電位を供給したり伝達したりすることができる機能を有している。または、配線１２４は、トランジスタ１０８を初期化するような電位を供給したり伝達したりすることができる機能を有している。または、配線１２４は、トランジスタ１０８をオン状態とするような電位を供給したり伝達したりすることができる機能を有している。または、配線１２４は、照明機能を実現するための電位を供給したり伝達したりすることができる機能を有している。または、配線１２４は、容量素子１１０に電圧や電流を供給したり伝達したりすることができる機能を有している。または、配線１２４は、スイッチ１１８に電圧や電流を供給したり伝達したりすることができる機能を有している。よって、配線１２４は、電源線、初期化配線、照明機能制御用配線、動作領域制御配線などの少なくとも一つの機能を有している。なお、配線１２４の電位は、一定であることが望ましい。ただし、本発明の実施形態の一態様は、これに限定されず、パルス信号が供給される場合もある。
【０１３１】
トランジスタ１０８は、負荷１０６に流れる電流の大きさを制御したりすることができる機能を有している。よって、トランジスタ１０８は、駆動トランジスタ、電流制御トランジスタ、などの少なくとも一つの機能を有している。
【０１３２】
スイッチ１１２は、配線１０２とトランジスタ１０８のソースとの間の導通状態を制御することができる機能を有している。または、スイッチ１１２は、画素を選択することができる機能を有している。または、スイッチ１１２は、ビデオ信号を画素に供給するか否かを制御することができる機能を有している。よって、スイッチ１１２は、選択用スイッチ、スイッチング用スイッチ、などの少なくとも一つの機能を有している。
【０１３３】
スイッチ１１８は、配線１２４とトランジスタ１０８のゲートとの間の導通状態を制御することができる機能を有している。または、スイッチ１１８は、照明機能を動作させるか否かを選択することができる機能を有している。または、スイッチ１１８は、トランジスタ１０８を線形領域で動作させるための電位を画素に供給するか否かを制御することができる機能を有している。または、スイッチ１１８は、トランジスタ１０８を初期化するかどうかを制御することができる機能を有している。または、スイッチ１１８は、トランジスタ１０８をオン状態とするか否かを制御することができる機能を有している。または、スイッチ１１８は、照明機能を実現するかどうかを制御することができる機能を有している。または、スイッチ１１８は、トランジスタ１０８のゲートに電圧を供給するか否かを制御することができる機能を有している。または、スイッチ１１８は、容量素子１１０の端子をフローティング状態にするか否かを制御することができる機能を有している。よって、スイッチ１１８は、制御用スイッチ、動作制御用スイッチ、機能切り替え用スイッチ、初期化用スイッチ、などの少なくとも一つの機能を有している。
【０１３４】
スイッチ１２０は、負荷１０６とトランジスタ１０８のドレインとの間の導通状態を制御することができる機能を有している。または、スイッチ１２０は、負荷１０６に電流を流すか否かを制御することができる機能を有している。よって、スイッチ１２０は、制御用スイッチ、発光制御用スイッチなどの少なくとも一つの機能を有している。
【０１３５】
スイッチ１１４は、配線１０４とトランジスタ１０８のソースとの間の導通状態を制御することができる機能を有している。または、スイッチ１１４は、負荷１０６に電流を流すか否かを制御することができる機能を有している。または、スイッチ１１４は、トランジスタ１０８に電流を流すか否かを制御することができる機能を有している。よって、スイッチ１１４は、制御用スイッチ、発光制御用スイッチなどの少なくとも一つの機能を有している。
【０１３６】
スイッチ１１６は、トランジスタ１０８のゲートとトランジスタ１０８のドレインとの間の導通状態を制御することができる機能を有している。または、スイッチ１１６は、容量素子１１０の端子とトランジスタ１０８のドレインとの間の導通状態を制御することができる機能を有している。または、スイッチ１１６は、容量素子１１０の端子をフローティング状態にするか否かを制御することができる機能を有している。または、スイッチ１１６は、トランジスタ１０８のしきい値電圧を取得する動作を制御することができる機能を有している。よって、スイッチ１１６は、制御用スイッチ、しきい値電圧取得用スイッチ、容量制御用スイッチなどの少なくとも一つの機能を有している。
【０１３７】
なお、配線１０４は、図４と同様に、配線１０４Ａ、配線１０４Ｂなどに分けて配置してもよい。その場合の回路図を、図１６に示す。
【０１３８】
配線１０４Ａは、トランジスタ１０８に電圧や電流を供給したり伝達したりすることができる機能を有している。または、配線１０４Ａは、負荷１０６に電圧や電流を供給したり伝達したりすることができる機能を有している。または、配線１０４Ａは、スイッチ１１４に電圧や電流を供給したり伝達したりすることができる機能を有している。または、配線１０４Ａは、負荷１０６に、逆バイアス電圧を供給したり伝達したりすることができる機能を有している。または、配線１０４Ｂは、容量素子１１０に電圧や電流を供給したり伝達したりすることができる機能を有している。よって、配線１０４Ａは、電流供給線、電源線、などの少なくとも一つの機能を有している。または、配線１０４Ｂは、容量配線、電源線、などの少なくとも一つの機能を有している。なお、配線１０４Ａや配線１０４Ｂの電位は、一定であることが望ましい。ただし、本発明の実施形態の一態様は、これに限定されず、パルス信号が供給される場合もある。特に、配線１０４Ｂの電位を変化させることにより、容量結合を利用して、トランジスタ１０８のゲート電位を制御することが出来る。
【０１３９】
なお、配線１２４は、図３（Ａ）、図３（Ｂ）と同様に、配線１２２と接続してもよい。その場合の回路図を、図１６に示す。
【０１４０】
次に、駆動方法について述べる。まず、第１の動作モードにおける駆動方法について述べる。ここでは、表示機能を実現する場合の駆動方法に相当する。まず、図１７（Ａ）に示すように、スイッチ１１８がオンになり、トランジスタ１０８が初期化される。この動作により、配線１２４の電位が、トランジスタ１０８のゲートと容量素子１１０に入力される。その結果、トランジスタ１０８がオン状態となる。これは、トランジスタ１０８のしきい値電圧を取得するための初期化動作に相当する。次に、図１７（Ｂ）に示すように、画素が選択されて、スイッチ１１２がオンになり、配線１０２から、ビデオ信号がトランジスタ１０８のソースに供給される。そして、スイッチ１１６がオン状態であり、スイッチ１１８がオフ状態であるため、容量素子１１０の電荷が、トランジスタ１０８を介して、放電されていく。そして、放電が止まった時、または、放電が少なくなったときに、つまり、トランジスタ１０８がオフ状態になったときに、または、トランジスタ１０８がオフ状態に近くなったときに、トランジスタ１０８のしきい値電圧の取得が終了する。この状態では、トランジスタ１０８のゲートソース間電圧は、トランジスタ１０８のしきい値電圧に近い値になっている。そして、図１７（Ｃ）に示すように、画素が非選択となり、スイッチ１１２とスイッチ１１６がオフになって、容量素子１１０にビデオ信号に応じた電圧などが保持される。スイッチ１１２がオフになり、スイッチ１１４がオンになるため、トランジスタ１０８のソースの接続先が、配線１０２から配線１０４に変わる。したがって、トランジスタ１０８のソースの電位も変わる。一方、トランジスタ１０８のゲートの電位は、容量素子１１０によって保持されているので、変わらない。その結果、トランジスタ１０８のゲートソース間電圧も変わる。トランジスタ１０８のゲートソース間電圧は、ビデオ信号の電圧とトランジスタ１０８のしきい値電圧とを足し合わせた値となる。スイッチ１１４とスイッチ１２０とがオンであるため、負荷１０６には、トランジスタ１０８によって、電流が供給される。その電流の大きさは、ビデオ信号の大きさに応じた大きさとなっている。そのとき、トランジスタ１０８のしきい値電圧の大きさのばらつきの影響が少なくなるような電流値となっている。
【０１４１】
次に、第２の動作モードにおける駆動方法について述べる。ここでは、照明機能を実現する場合の駆動方法に相当する。まず、図１７（Ｄ）に示すように、スイッチ１１８がオンになり、トランジスタ１０８のゲートに配線１２４の電位が供給される。トランジスタ１０８のゲートソース間電圧の絶対値が大きいため、負荷１０６には、大きな電流が流れる。なお、次に、図１７（Ｃ）に示すように、スイッチ１１８をオフにしてもよい。その場合、容量素子１１０に、配線１２４の電位が保持されることとなり、それに応じた大きさの電流がトランジスタ１０８から負荷１０６へ供給される。
【０１４２】
次に、図１５において、スイッチをトランジスタで実現した場合の回路例を図１８で示す。
【０１４３】
図１８では、スイッチをＰチャネル型トランジスタで実現した例を示している。ただし、本発明の実施形態の一態様は、これに限定されない。一部、または、全部において、Ｎチャネル型トランジスタを用いてもよい。スイッチ１１２は、トランジスタ１１２Ａを用いて実現している。また、スイッチ１１８は、トランジスタ１１８Ａを用いて実現している。また、スイッチ１１４は、トランジスタ１１４Ａを用いて実現している。また、スイッチ１１６は、トランジスタ１１６Ａを用いて実現している。また、スイッチ１２０は、トランジスタ１２０Ａを用いて実現している。トランジスタ１１２Ａのゲートとトランジスタ１１６Ａのゲートには、配線１２５が接続されている。トランジスタ１１８Ａのゲートには、配線１２６が接続されている。トランジスタ１１４Ａのゲートとトランジスタ１２０Ａのゲートには、配線１２７が接続されている。
【０１４４】
なお、トランジスタ１１２Ａのゲートとトランジスタ１１６Ａのゲートとは、同じ配線と接続されているが、本発明の実施形態の一態様は、これに限定されない。別々の配線と接続されていてもよい。なお、トランジスタ１１４Ａのゲートとトランジスタ１２０Ａのゲートとは、同じ配線と接続されているが、本発明の実施形態の一態様は、これに限定されない。別々の配線と接続されていてもよい。
【０１４５】
配線１０２は、ビデオ信号を供給したり伝達したりすることができる機能を有している。また、配線１０２には、プリチャージ信号や初期化信号が供給される場合もある。または、配線１０２は、トランジスタ１１２Ａに、信号を供給したり伝達したりすることができる機能を有している。よって、配線１０２は、ビデオ信号線、ソース信号線、初期化信号線、などの少なくとも一つの機能を有している。
【０１４６】
配線１０４は、トランジスタ１０８に電圧や電流を供給したり伝達したりすることができる機能を有している。または、配線１０４は、発光素子１０６Ａに電圧や電流を供給したり伝達したりすることができる機能を有している。配線１０４は、発光素子１０６Ａに、逆バイアス電圧を供給したり伝達したりすることができる機能を有している。または、配線１０４は、トランジスタ１１４Ａに電圧や電流を供給したり伝達したりすることができる機能を有している。または、配線１０４は、容量素子１１０に電圧や電流を供給したり伝達したりすることができる機能を有している。よって、配線１０４は、電流供給線、電源線、容量配線、などの少なくとも一つの機能を有している。なお、配線１０４の電位は、一定であることが望ましい。ただし、本発明の実施形態の一態様は、これに限定されず、パルス信号が供給される場合もある。
【０１４７】
配線１２４は、トランジスタ１０８のゲートに電圧を供給したり伝達したりすることができる機能を有している。または、配線１２４は、トランジスタ１０８の動作領域を制御できるような電位を供給したり伝達したりすることができる機能を有している。または、配線１２４は、トランジスタ１０８を初期化するような電位を供給したり伝達したりすることができる機能を有している。または、配線１２４は、トランジスタ１０８をオン状態とするような電位を供給したり伝達したりすることができる機能を有している。または、配線１２４は、照明機能を実現するための電位を供給したり伝達したりすることができる機能を有している。または、配線１２４は、容量素子１１０に電圧や電流を供給したり伝達したりすることができる機能を有している。または、配線１２４は、トランジスタ１１８Ａに電圧や電流を供給したり伝達したりすることができる機能を有している。よって、配線１２４は、電源線、初期化配線、照明機能制御用配線、動作領域制御配線などの少なくとも一つの機能を有している。なお、配線１２４の電位は、一定であることが望ましい。ただし、本発明の実施形態の一態様は、これに限定されず、パルス信号が供給される場合もある。
【０１４８】
トランジスタ１０８は、発光素子１０６Ａに流れる電流の大きさを制御したりすることができる機能を有している。よって、トランジスタ１０８は、駆動トランジスタ、電流制御トランジスタ、などの少なくとも一つの機能を有している。
【０１４９】
トランジスタ１１２Ａは、配線１０２とトランジスタ１０８のソースとの間の導通状態を制御することができる機能を有している。または、トランジスタ１１２Ａは、画素を選択することができる機能を有している。または、トランジスタ１１２Ａは、ビデオ信号を画素に供給するか否かを制御することができる機能を有している。よって、トランジスタ１１２Ａは、選択用トランジスタ、スイッチング用トランジスタ、などの少なくとも一つの機能を有している。
【０１５０】
トランジスタ１１８Ａは、配線１２４とトランジスタ１０８のゲートとの間の導通状態を制御することができる機能を有している。または、トランジスタ１１８Ａは、照明機能を動作させるか否かを選択することができる機能を有している。または、トランジスタ１１８Ａは、トランジスタ１０８を線形領域で動作させるための電位を画素に供給するか否かを制御することができる機能を有している。または、トランジスタ１１８Ａは、トランジスタ１０８を初期化するかどうかを制御することができる機能を有している。または、トランジスタ１１８Ａは、トランジスタ１０８をオン状態とするか否かを制御することができる機能を有している。または、トランジスタ１１８Ａは、照明機能を実現するかどうかを制御することができる機能を有している。または、トランジスタ１１８Ａは、トランジスタ１０８のゲートに電圧を供給するか否かを制御することができる機能を有している。または、トランジスタ１１８Ａは、容量素子１１０の端子をフローティング状態にするか否かを制御することができる機能を有している。よって、トランジスタ１１８Ａは、制御用トランジスタ、動作制御用トランジスタ、機能切り替え用トランジスタ、初期化用トランジスタ、などの少なくとも一つの機能を有している。
【０１５１】
トランジスタ１２０Ａは、発光素子１０６Ａとトランジスタ１０８のドレインとの間の導通状態を制御することができる機能を有している。または、トランジスタ１２０Ａは、発光素子１０６Ａに電流を流すか否かを制御することができる機能を有している。よって、トランジスタ１２０Ａは、制御用トランジスタ、発光制御用トランジスタなどの少なくとも一つの機能を有している。
【０１５２】
トランジスタ１１４Ａは、配線１０４とトランジスタ１０８のソースとの間の導通状態を制御することができる機能を有している。または、トランジスタ１１４Ａは、発光素子１０６Ａに電流を流すか否かを制御することができる機能を有している。または、トランジスタ１１４Ａは、トランジスタ１０８に電流を流すか否かを制御することができる機能を有している。よって、トランジスタ１１４Ａは、制御用トランジスタ、発光制御用トランジスタなどの少なくとも一つの機能を有している。
【０１５３】
トランジスタ１１６Ａは、トランジスタ１０８のゲートとトランジスタ１０８のドレインとの間の導通状態を制御することができる機能を有している。または、トランジスタ１１６Ａは、容量素子１１０の端子とトランジスタ１０８のドレインとの間の導通状態を制御することができる機能を有している。または、トランジスタ１１６Ａは、容量素子１１０の端子をフローティング状態にするか否かを制御することができる機能を有している。または、トランジスタ１１６Ａは、トランジスタ１０８のしきい値電圧を取得する動作を制御することができる機能を有している。よって、トランジスタ１１６Ａは、制御用トランジスタ、しきい値電圧取得用トランジスタ、容量制御用トランジスタなどの少なくとも一つの機能を有している。
【０１５４】
配線１２５は、配線１０２とトランジスタ１０８のソースとの間の導通状態を制御する信号を供給したり伝達したりすることができる機能を有している。または、配線１２５は、画素を選択する信号を供給したり伝達したりすることができる機能を有している。または、配線１２５は、ビデオ信号を画素に供給するか否かを制御する信号を供給したり伝達したりすることができる機能を有している。または、配線１２５は、トランジスタ１０８のゲートとトランジスタ１０８のドレインとの間の導通状態を制御する信号を供給したり伝達したりすることができる機能を有している。または、配線１２５は、容量素子１１０の端子とトランジスタ１０８のドレインとの間の導通状態を制御する信号を供給したり伝達したりすることができる機能を有している。または、配線１２５は、容量素子１１０の端子をフローティング状態にするか否かを制御する信号を供給したり伝達したりすることができる機能を有している。または、配線１２５は、トランジスタ１０８のしきい値電圧を取得する動作を制御する信号を供給したり伝達したりすることができる機能を有している。よって、配線１２５は、制御用配線、しきい値電圧取得用配線、容量制御用配線、選択用配線、スイッチング用配線、制御用ゲート配線、しきい値電圧取得用ゲート配線、容量制御用ゲート配線、選択用ゲート配線、スイッチング用ゲート配線、などの少なくとも一つの機能を有している。
【０１５５】
配線１２６は、配線１２４とトランジスタ１０８のゲートとの間の導通状態を制御する信号を供給したり伝達したりすることができる機能を有している。または、配線１２６は、照明機能を動作させるか否かを選択する信号を供給したり伝達したりすることができる機能を有している。または、配線１２６は、トランジスタ１０８を線形領域で動作させるための電位を画素に供給するか否かを制御する信号を供給したり伝達したりすることができる機能を有している。または、配線１２６は、トランジスタ１０８を初期化するかどうかを制御する信号を供給したり伝達したりすることができる機能を有している。または、配線１２６は、トランジスタ１０８をオン状態とするか否かを制御する信号を供給したり伝達したりすることができる機能を有している。または、配線１２６は、照明機能を実現するかどうかを制御する信号を供給したり伝達したりすることができる機能を有している。または、配線１２６は、容量素子１１０の端子をフローティング状態にするか否かを制御する信号を供給したり伝達したりすることができる機能を有している。または、配線１２６は、トランジスタ１０８のゲートに電圧を供給するか否かを制御する信号を供給したり伝達したりすることができる機能を有している。よって、配線１２６は、制御用配線、動作制御用配線、機能切り替え用配線、初期化用配線、制御用ゲート配線、動作制御用ゲート配線、機能切り替え用ゲート配線、初期化用ゲート配線などの少なくとも一つの機能を有している。
【０１５６】
配線１２７は、発光素子１０６Ａとトランジスタ１０８のドレインとの間の導通状態を制御する信号を供給したり伝達したりすることができる機能を有している。または、配線１２７は、発光素子１０６Ａに電流を流すか否かを制御する信号を供給したり伝達したりすることができる機能を有している。よって、配線１２７は、制御用配線、発光制御用配線、制御用ゲート配線、発光制御用ゲート配線などの少なくとも一つの機能を有している。
【０１５７】
ここで、図１８は、１画素分の回路図を示している。発光装置全体のブロック図を示す図９において、画素部５０１には、画素がマトリクス状に配置されている。例えば、図１８に示す画素が、マトリクス状に配置されている。例えば、図１８の場合には、配線１２５と配線１２６は、ゲート線駆動回路５０３Ａと接続され、配線１２７は、ゲート線駆動回路５０３Ｂと接続されている。
【０１５８】
次に、各行の配線１２５、配線１２６、配線１２７のタイミングチャートを示す。まず、第１の動作モードにおけるタイミングチャートについて述べる。ここでは、表示機能を実現する場合のタイミングチャートに相当する。図１９に示すように、１行目の配線１２５（１）からＮ行目の配線１２５（Ｎ）へと、１行ずつ、選択されていく。つまり、１行ずつ選択信号が入力されていく。同様に、１行目の配線１２６（１）からＮ行目の配線１２６（Ｎ）へと、１行ずつ、選択されていく。つまり、１行ずつ選択信号が入力されていく。同様に、１行目の配線１２７（１）からＮ行目の配線１２７（Ｎ）へと、１行ずつ、選択されていく。つまり、１行ずつ選択信号が入力されていく。
【０１５９】
次に、第２の動作モードにおけるタイミングチャートについて述べる。ここでは、照明機能を実現する場合のタイミングチャートに相当する。図２０に示すように、１行目の配線１２６（１）からＮ行目の配線１２６（Ｎ）へと、１行ずつ、選択されていく。つまり、１行ずつ選択信号が入力されていく。同様に、１行目の配線１２７（１）からＮ行目の配線１２７（Ｎ）へと、１行ずつ、選択されていく。つまり、１行ずつ選択信号が入力されていく。一方、１行目の配線１２５（１）からＮ行目の配線１２５（Ｎ）は、選択されず、非選択状態のままとなっている。
【０１６０】
このようにして、表示機能と、照明機能とを切り替えて、動作させることが出来る。
【０１６１】
なお、照明機能を実現する場合、画像を表示する必要がないため、必ずしも、配線１２６を１行ずつスキャンしていく必要はない。あるいは、配線１２６を１度スキャンすれば、その後すぐにスキャンする必要はない。そのため、全行の配線１２６を一斉に選択状態にしてもよい。その場合、配線１２５は全行非選択状態とし、配線１２７は、全行選択状態としておくことが望ましい。そのような方法で照明機能を実現する場合のタイミングチャートを図２１に示す。
【０１６２】
なお、図２１では、全行の配線１２６がずっと選択されていたが、図２２に示すように、１フレーム期間ごとに全行を選択してもよい。または、図２３に示すように、１度だけ選択してもよい。照明機能を実現する場合には、画像を表示する必要がないため、信号を書き換える必要がない。そのため、１度だけ選択して、その後は選択しないようにしてもよい。ただし、いったん、表示機能を実現するために、各画素の信号を書き換えた場合には、再度、照明機能を実現するモードに入る場合には、配線１２６を選択しなおす必要がある。
【０１６３】
なお、図１８では、スイッチとして、トランジスタ１１８Ａを用いたが、本発明の実施形態の一態様は、これに限定されない。例えば、スイッチ１１８を、ダイオードを用いて実現してもよい。例えば、図２４に示すように、ダイオード接続されたトランジスタ１１８Ｂと、配線１２６Ａとを用いて実現してもよい。配線１２６Ａは、配線１２６と同様に動作させればよい。
【０１６４】
なお、図１８などでは、トランジスタ１０８がＰチャネル型の場合の例を示したが、本発明の実施形態の一態様は、これに限定されない。図３（Ｃ）、図３（Ｄ）と同様に、各配線の電位の大小関係を逆にしたり、発光素子１０６Ａの向きを逆にすることなどにより、トランジスタ１０８がＮチャネル型の場合でも同様に動作させることが出来る。その場合の回路例を、図２５に示す。
【０１６５】
次に、図１９、図２０、図２１、図２２、図２３などのタイミングチャートを実現するためのゲート線駆動回路５０３Ａの例を、図２６および図２７に示す。なお、ゲート線駆動回路５０３Ｂは、一例としては、ゲート線駆動回路５０３Ａと同様な回路構成とすればよい。
【０１６６】
図２６では、ゲート線駆動回路５０３Ａは、回路７０５、回路７０３を有している。回路７０５は、一例としては、シフトレジスタ回路、または、デコーダ回路を有しており、１行ずつ選択するようなパルス信号を出力することができる機能を有している。１行目の配線７０１（１）、２行目の配線７０１（２）、３行目の配線７０１（３）、４行目の配線７０１（４）、などから、順次パルス信号が出力される。そのパルス信号の一部は、回路７０３に入力される。回路７０３には、配線７０２が接続されている。配線７０２の信号に応じて、各行の配線１２５の信号が制御される。各行の配線１２５には、回路７０３Ａ（１）、回路７０３Ａ（２）、回路７０３Ａ（３）回路７０３Ａ（４）、などが接続されている。それらの回路は、一例としては、ＯＲ回路を有している。なお、ＯＲ回路は、ＡＮＤ回路、ＮＯＲ回路、ＮＡＮＤ回路、ＮＯＴ回路のうちの少なくとも一つなどを用いても、同様の機能を実現することが可能である。
【０１６７】
一方、図２７では、各行の配線１２６には、回路７０３Ｂ（１）、回路７０３Ｂ（２）、回路７０３Ｂ（３）回路７０３Ｂ（４）、などが接続されている。それらの回路は、一例としては、ＡＮＤ回路を有している。なお、ＡＮＤ回路は、ＯＲ回路、ＮＯＲ回路、ＮＡＮＤ回路、ＮＯＴ回路のうちの少なくとも一つなどを用いても、同様の機能を実現することが可能である。
【０１６８】
なお、図１５では、スイッチ１１８が、トランジスタ１０８のゲートに接続された場合の回路例を示したが、本発明の実施形態の一態様は、これに限定されない。例えば、スイッチ１１８は、トランジスタ１０８のドレインと接続されていてもよい。その場合の回路の例と、動作方法を、図２８に示す。
【０１６９】
まず、第１の動作モードにおける駆動方法について述べる。ここでは、表示機能を実現する場合の駆動方法に相当する。まず、図２８（Ａ）に示すように、スイッチ１１８とスイッチ１１６がオンになり、トランジスタ１０８が初期化される。この動作により、配線１２４の電位が、トランジスタ１０８のゲート及びドレインと容量素子１１０に入力される。その結果、トランジスタ１０８がオン状態となる。これは、トランジスタ１０８のしきい値電圧を取得するための初期化動作に相当する。次に、図２８（Ｂ）に示すように、画素が選択されて、スイッチ１１２がオンになり、配線１０２から、ビデオ信号がトランジスタ１０８のソースに供給される。そして、スイッチ１１６がオン状態であり、スイッチ１１８がオフ状態であるため、容量素子１１０の電荷が放電されていく。そして、放電が止まった時、または、放電が少なくなったときに、トランジスタ１０８のしきい値電圧の取得が終了する。そして、図２８（Ｃ）に示すように、画素が非選択となり、スイッチ１１２とスイッチ１１６がオフになって、容量素子１１０にビデオ信号に応じた電圧が保持される。スイッチ１１４とスイッチ１２０とがオンであるため、負荷１０６には、トランジスタ１０８によって、電流が供給される。その電流の大きさは、ビデオ信号の大きさに応じた大きさとなっている。そのとき、トランジスタ１０８のしきい値電圧の大きさのばらつきの影響が少なくなるような電流値となっている。
【０１７０】
次に、第２の動作モードにおける駆動方法について述べる。ここでは、照明機能を実現する場合の駆動方法に相当する。まず、図２８（Ｄ）に示すように、スイッチ１１８とスイッチ１１６がオンになり、トランジスタ１０８のゲート及びドレインと容量素子１１０に配線１２４の電位が供給される。スイッチ１１４がオンであり、トランジスタ１０８のゲートソース間電圧の絶対値が大きいため、負荷１０６には、大きな電流が流れる。なお、次に、図２８（Ｃ）に示すように、スイッチ１１８とスイッチ１１６をオフにしてもよい。その場合、容量素子１１０に、配線１２４の電位が保持されることとなり、それに応じた大きさの電流がトランジスタ１０８から負荷１０６へ供給される。
【０１７１】
本実施の形態は、他の実施の形態の一部または全部について、変更、追加、修正、削除、応用、上位概念化、又は、下位概念化したものに相当する。したがって、本実施の形態の一部または全部について、他の実施の形態の一部または全部と自由に組み合わせたり、適用したり、置き換えて実施することができる。
【０１７２】
（実施の形態４）
本実施の形態では、本発明の一態様の発光装置の駆動方法の別の具体例について説明する。
【０１７３】
実施の形態３では、照明機能を実現する場合に、スイッチ１１８をオン状態にして、トランジスタ１０８のゲートの電位を制御していた。本実施の形態では、配線１０２の電位を制御した場合の駆動方法の例を示す。
【０１７４】
図１７を用いて述べる。
【０１７５】
まず、第１の動作モードにおける駆動方法について述べる。ここでは、表示機能を実現する場合の駆動方法に相当する。まず、図１７（Ａ）に示すように、スイッチ１１８がオンになり、トランジスタ１０８が初期化される。この動作により、配線１２４の電位が、トランジスタ１０８のゲートと容量素子１１０に入力される。その結果、トランジスタ１０８がオン状態となる。これは、トランジスタ１０８のしきい値電圧を取得するための初期化動作に相当する。次に、図１７（Ｂ）に示すように、画素が選択されて、スイッチ１１２がオンになり、配線１０２から、ビデオ信号がトランジスタ１０８のソースに供給される。そして、スイッチ１１６がオン状態であり、スイッチ１１８がオフ状態であるため、容量素子１１０の電荷が放電されていく。そして、放電が止まった時、または、放電が少なくなったときに、トランジスタ１０８のしきい値電圧の取得が終了する。
【０１７６】
このときの配線１０２の電位は、画像に応じて変化する。最も階調が小さいときの電位の値をＳＩＧＭＩＮ、もっとも階調が大きいときの電位の値をＳＩＧＭＡＸとする。また、最も階調が小さいときのトランジスタ１０８のゲートソース間電圧の絶対値をＶＧＳＭＩＮ、もっとも階調が大きいときのトランジスタ１０８のゲートソース間電圧の絶対値をＶＧＳＭＡＸとする。ここで、トランジスタ１０８がＰチャネル型の場合には、電位の値ＳＩＧＭＩＮは、電位の値ＳＩＧＭＡＸよりも高い。したがって、配線１０２の電位の値は、ＳＩＧＭＡＸ以上、ＳＩＧＭＩＮ以下の範囲となっている。また、トランジスタ１０８のゲートソース間電圧の絶対値は、ＶＧＳＭＩＮ以上、ＶＧＳＭＡＸ以下となっている。
【０１７７】
そして、図１７（Ｃ）に示すように、画素が非選択となり、スイッチ１１２とスイッチ１１６がオフになって、容量１１０にビデオ信号に応じた電圧が保持される。スイッチ１１４とスイッチ１２０とがオンであるため、負荷１０６には、トランジスタ１０８によって、電流が供給される。その電流の大きさは、ビデオ信号の大きさに応じた大きさとなっている。そのとき、トランジスタ１０８のしきい値電圧の大きさのばらつきの影響が少なくなるような電流値となっている。
【０１７８】
次に、第２の動作モードにおける駆動方法について述べる。ここでは、照明機能を実現する場合の駆動方法に相当する。まず、図１７（Ａ）に示すように、スイッチ１１８がオンになり、トランジスタ１０８が初期化される。この動作により、配線１２４の電位が、トランジスタ１０８のゲートと容量素子１１０に入力される。その結果、トランジスタ１０８がオン状態となる。次に、図１７（Ｂ）に示すように、画素が選択されて、スイッチ１１２がオンになり、配線１０２から、所定の信号がトランジスタ１０８のソースに供給される。そして、スイッチ１１６がオン状態であり、スイッチ１１８がオフ状態であるため、容量素子１１０の電荷が放電されていく。そして、放電が止まった時、または、放電が少なくなったときに、トランジスタ１０８のしきい値電圧の取得が終了する。
【０１７９】
このときの配線１０２の電位の値は、もっとも階調が大きいときの電位の値ＳＩＧＭＡＸよりも低い値となっている。したがって、配線１０２の電位の値は、電位の値ＳＩＧＭＡＸよりも低い範囲となっている。また、トランジスタ１０８のゲートソース間電圧の絶対値は、ＶＧＳＭＡＸよりも大きくなっている。
【０１８０】
そして、図１７（Ｃ）に示すように、画素が非選択となり、スイッチ１１２とスイッチ１１６がオフになって、容量１１０に所定の信号に応じた電圧が保持される。スイッチ１１４とスイッチ１２０とがオンであるため、負荷１０６には、トランジスタ１０８によって、電流が供給される。その電流の大きさは、非常に大きな値となっている。そのとき、発光素子の劣化の影響が出てしまうような電流値となっている。つまり、トランジスタ１０８は、定電圧駆動を行っている状態となっている。
【０１８１】
このような駆動方法を用いると、各列の配線１０２の電位をそれぞれ制御することが出来る。そのため、ある列の配線１０２の電位では、定電圧駆動を行うような電位になっており、別の列の配線１０２の電位では、非発光状態にするような電位にすることもできる。または、別の列の配線１０２の電位では、定電流駆動を行うような電位にすることもできる。つまり、１行の中で、画素ごとに異なった状態にすることが出来る。
【０１８２】
このようにして、表示機能と、照明機能とを切り替えて、動作させることが出来る。
【０１８３】
次に、別の例について図７を用いて述べる。なお、図７において、スイッチ１１８や配線１２４は、設けられていなくてもよい。
【０１８４】
まず、第１の動作モードにおける駆動方法について述べる。ここでは、表示機能を実現する場合の駆動方法に相当する。まず、図７（Ａ）に示すように、画素が選択されて、スイッチ３１２がオンになり、配線１０２から、ビデオ信号がトランジスタ１０８のゲートに供給される。
【０１８５】
このときの配線１０２の電位は、画像に応じて変化する。最も階調が小さいときの電位の値をＳＩＧＭＩＮ、もっとも階調が大きいときの電位の値をＳＩＧＭＡＸとする。また、最も階調が小さいときのトランジスタ１０８のゲートソース間電圧の絶対値をＶＧＳＭＩＮ、もっとも階調が大きいときのトランジスタ１０８のゲートソース間電圧の絶対値をＶＧＳＭＡＸとする。ここで、トランジスタ１０８がＰチャネル型の場合には、電位の値ＳＩＧＭＩＮは、電位の値ＳＩＧＭＡＸよりも高い。したがって、配線１０２の電位の値は、ＳＩＧＭＡＸ以上、ＳＩＧＭＩＮ以下の範囲となっている。また、トランジスタ１０８のゲートソース間電圧の絶対値は、ＶＧＳＭＩＮ以上、ＶＧＳＭＡＸ以下となっている。
【０１８６】
そして、図７（Ｂ）に示すように、画素が非選択となり、スイッチ３１２がオフになって、ビデオ信号に応じた電圧が容量素子１１０に保持される。負荷１０６には、トランジスタ１０８によって、電流が供給される。その電流の大きさは、ビデオ信号の大きさに応じた大きさとなっている。
【０１８７】
次に、第２の動作モードにおける駆動方法について述べる。ここでは、照明機能を実現する場合の駆動方法に相当する。まず、図７（Ａ）に示すように、画素が選択されて、スイッチ３１２がオンになり、配線１０２から、所定の信号がトランジスタ１０８のゲートに供給される。
【０１８８】
このときの配線１０２の電位の値は、もっとも階調が大きいときの電位の値ＳＩＧＭＡＸよりも低い値となっている。したがって、配線１０２の電位の値は、ＳＩＧＭＡＸよりも低い範囲となっている。また、トランジスタ１０８のゲートソース間電圧の絶対値は、ＶＧＳＭＡＸよりも大きくなっている。
【０１８９】
そして、図７（Ｂ）に示すように、画素が非選択となり、スイッチ３１２がオフになって、容量１１０に信号に応じた電圧が保持される。負荷１０６には、トランジスタ１０８によって、電流が供給される。その電流の大きさは、非常に大きな値となっている。そのとき、発光素子の劣化の影響が出てしまうような電流値となっている。つまり、トランジスタ１０８は、定電圧駆動を行っている状態となっている。
【０１９０】
このような駆動方法を用いると、各列の配線１０２の電位をそれぞれ制御することが出来る。そのため、ある列の配線１０２の電位では、定電圧駆動を行うような電位になっており、別の列の配線１０２の電位では、非発光状態にするような電位にすることもできる。または、別の列の配線１０２の電位では、定電流駆動を行うような電位にすることもできる。つまり、１行の中で、画素ごとに異なった状態にすることが出来る。
【０１９１】
このようにして、表示機能と、照明機能とを切り替えて、動作させることが出来る。
【０１９２】
このように、配線１０２から供給される信号の大きさを制御することによって、トランジスタ１０８の動作領域を制御することが出来る。その結果、表示機能と、照明機能とを切り替えて、動作させることが出来る。よって、様々な画素回路においても同様に、表示機能と、照明機能とを切り替えて、動作させることが出来る。
【０１９３】
本実施の形態は、他の実施の形態の一部または全部について、変更、追加、修正、削除、応用、上位概念化、又は、下位概念化したものに相当する。したがって、本実施の形態の一部または全部について、他の実施の形態の一部または全部と自由に組み合わせたり、適用したり、置き換えて実施することができる。
【０１９４】
（実施の形態５）
本実施の形態では、本発明の一態様の発光装置と、撮像素子とを有する電子機器の具体例について説明する。
【０１９５】
図２９に、電子機器６０１の例を示す。図２９（Ａ）は、電子機器６０１のおもて面から見た上面図、図２９（Ｂ）は、その断面図を示す。図３０（Ａ）は、電子機器６０１のうら面から見た上面図、図２９（Ｂ）は、その断面図を示す。電子機器６０１は、例えば、タブレット型携帯端末、スマートフォン、携帯電話、携帯型コンピュータ、携帯型情報端末、携帯型電子書籍、携帯型カメラなどに相当する。
【０１９６】
図２９（Ａ）に示すように、電子機器６０１のおもて面には、表示装置６０２と、カメラ部６０３とが設けられている。
【０１９７】
図３０（Ａ）に示すように、電子機器６０１のうら面には、カメラ部６０４が設けられている。
【０１９８】
ここで、表示装置６０２として、他の実施の形態で述べた発光装置などを用いることが出来る。そのため、通常の作業を行う場合には、表示装置６０２を使って、閲覧したり、入力したりする。また、カメラ部６０３や６０４を使って、撮影を行う場合、あるときには、表示装置６０２に、撮影状況が表示されたり、通話相手の画像が表示されたりする。または、カメラ部６０３を使って、撮影を行う場合、別のときには、照明として機能する。つまり、表示装置６０２から、被写体を照らして、表示装置６０２をフラッシュやストロボとして使用する。このように、表示機能と照明機能とを切り替える場合には、他の実施の形態で述べた駆動方法を用いることによって、適切な動作を行うことができ、明るい輝度で被写体を照射することが出来る。その結果、きれいな画像を撮影することが出来る。
このようにして、表示機能と、照明機能とを切り替えて、動作させることが出来る。
【０１９９】
本実施の形態は、他の実施の形態の一部または全部について、変更、追加、修正、削除、応用、上位概念化、又は、下位概念化したものに相当する。したがって、本実施の形態の一部または全部について、他の実施の形態の一部または全部と自由に組み合わせたり、適用したり、置き換えて実施することができる。
【０２００】
（実施の形態６）
本実施の形態では、トランジスタの構造の一例について図３１（Ａ）、図３１（Ｂ）、及び図３１（Ｃ）を参照して説明する。
【０２０１】
図３１（Ａ）は、トップゲート型のトランジスタの構成の一例である。図３１（Ｂ）は、ボトムゲート型のトランジスタの構成の一例である。図３１（Ｃ）は、半導体基板を用いて作製されるトランジスタの構造の一例である。
【０２０２】
図３１（Ａ）には、基板５２６０と、基板５２６０の上に形成される絶縁層５２６１と、絶縁層５２６１の上に形成され、領域５２６２ａ、領域５２６２ｂ、領域５２６２ｃ、領域５２６２ｄ、及び５２６２ｅを有する半導体層５２６２と、半導体層５２６２を覆うように形成される絶縁層５２６３と、半導体層５２６２及び絶縁層５２６３の上に形成される導電層５２６４と、絶縁層５２６３及び導電層５２６４の上に形成され、開口部を有する絶縁層５２６５と、絶縁層５２６５の上及び絶縁層５２６５の開口部に形成される導電層５２６６と、導電層５２６６の上及び絶縁層５２６５の上に形成され、開口部を有する絶縁層５２６７と、絶縁層５２６７の上及び絶縁層５２６７の開口部に形成される導電層５２６８と、絶縁層５２６７の上及び導電層５２６８の上に形成され、開口部を有する絶縁層５２６９と、絶縁層５２６９の上及び絶縁層５２６９の開口部に形成される発光層５２７０と、絶縁層５２６９の上及び発光層５２７０の上に形成される導電層５２７１とを示す。
【０２０３】
図３１（Ｂ）には、基板５３００と、基板５３００の上に形成される導電層５３０１と、導電層５３０１を覆うように形成される絶縁層５３０２と、導電層５３０１及び絶縁層５３０２の上に形成される半導体層５３０３ａと、半導体層５３０３ａの上に形成される半導体層５３０３ｂと、半導体層５３０３ｂの上及び絶縁層５３０２の上に形成される導電層５３０４と、絶縁層５３０２の上及び導電層５３０４の上に形成され、開口部を有する絶縁層５３０５と、絶縁層５３０５の上及び絶縁層５３０５の開口部に形成される導電層５３０６と、絶縁層５３０５の上及び導電層５３０６の上に配置される液晶層５３０７と、液晶層５３０７の上に形成される導電層５３０８とを示す。
【０２０４】
図３１（Ｃ）には、領域５３５３及び領域５３５５を有する半導体基板５３５２と、半導体基板５３５２の上に形成される絶縁層５３５６と、半導体基板５３５２の上に形成される絶縁層５３５４と、絶縁層５３５６の上に形成される導電層５３５７と、絶縁層５３５４、絶縁層５３５６、及び導電層５３５７の上に形成され、開口部を有する絶縁層５３５８と、絶縁層５３５８の上及び絶縁層５３５８の開口部に形成される導電層５３５９とを示す。こうして、領域５３５０と領域５３５１とに、各々、トランジスタが作製される。
【０２０５】
絶縁層５２６１は、下地膜として機能することが可能である。絶縁層５３５４は、素子間分離層（例えばフィールド酸化膜）として機能する。絶縁層５２６３、絶縁層５３０２、絶縁層５３５６は、ゲート絶縁膜として機能することが可能である。導電層５２６４、導電層５３０１、導電層５３５７は、ゲート電極として機能することが可能である。絶縁層５２６５、絶縁層５２６７、絶縁層５３０５、及び絶縁層５３５８は、層間膜、又は平坦化膜として機能することが可能である。導電層５２６６、導電層５３０４、及び導電層５３５９は、配線、トランジスタの電極、又は容量素子の電極などとして機能することが可能である。導電層５２６８、及び導電層５３０６は、画素電極、又は反射電極などとして機能することが可能である。絶縁層５２６９は、隔壁として機能することが可能である。導電層５２７１、及び導電層５３０８は、対向電極、又は共通電極などとして機能することが可能である。
【０２０６】
基板５２６０、及び基板５３００の一例としては、ガラス基板、石英基板、シリコン基板、金属基板、ステンレス基板、又は可撓性基板などがある。ガラス基板の一例としては、バリウムホウケイ酸ガラス、アルミノホウケイ酸ガラスなどがある。可撓性基板の一例としては、ポリエチレンテレフタレート（ＰＥＴ）、ポリエチレンナフタレート（ＰＥＮ）、ポリエーテルサルフォン（ＰＥＳ）に代表されるプラスチック、又はアクリル等の可撓性を有する合成樹脂などがある。他にも、貼り合わせフィルム（ポリプロピレン、ポリエステル、ポリフッ化ビニル、ポリ塩化ビニルなど）、繊維状な材料を含む紙、基材フィルム（ポリエステル、ポリアミド、無機蒸着フィルム、紙類等）などがある。
【０２０７】
半導体基板５３５２としては、一例として、ｎ型又はｐ型の導電型を有する単結晶Ｓｉ基板を用いることが可能である。ただし、これに限定されず、基板５２６０と同様なものを用いることが可能である。領域５３５３は、一例として、半導体基板５３５２に不純物が添加された領域であり、ウェルとして機能する。例えば、半導体基板５３５２がｐ型の導電型を有する場合、領域５３５３は、ｎ型の導電型を有し、ｎウェルとして機能する。一方、半導体基板５３５２がｎ型の導電型を有する場合、領域５３５３は、ｐ型の導電型を有し、ｐウェルとして機能する。領域５３５５は、一例として、不純物が半導体基板５３５２に添加された領域であり、ソース領域又はドレイン領域として機能する。なお、半導体基板５３５２に、ＬＤＤ領域を形成することが可能である。
【０２０８】
絶縁層５２６１の一例としては、酸化珪素（ＳｉＯｘ）、窒化珪素（ＳｉＮｘ）、酸化窒化珪素（ＳｉＯｘＮｙ）（ｘ＞ｙ）、窒化酸化珪素（ＳｉＮｘＯｙ）（ｘ＞ｙ）などの酸素若しくは窒素を有する膜、又はこれらの積層構造などがある。絶縁層５２６１が２層構造で設けられる場合の一例としては、１層目の絶縁膜として窒化珪素膜を設け、２層目の絶縁膜として酸化珪素膜を設けることが可能である。絶縁層５２６１が３層構造で設けられる場合の一例としては、１層目の絶縁膜として酸化珪素膜を設け、２層目の絶縁膜として窒化珪素膜を設け、３層目の絶縁膜として酸化珪素膜を設けることが可能である。
【０２０９】
半導体層５２６２、半導体層５３０３ａ、及び半導体層５３０３ｂの一例としては、非単結晶半導体（非晶質（アモルファス）シリコン、多結晶シリコン、微結晶シリコンなど）、単結晶半導体、化合物半導体若しくは酸化物半導体（ＺｎＯ、ＩｎＧａＺｎＯ、ＳｉＧｅ、ＧａＡｓ、ＩＺＯ、ＩＴＯ、ＳｎＯ）、有機半導体、又はカーボンナノチューブなどがある。
【０２１０】
なお、例えば、領域５２６２ａは、不純物が半導体層５２６２に添加されていない真性の状態であり、チャネル領域として機能する。ただし、領域５２６２ａに微少な不純物を添加することが可能であり、領域５２６２ａに添加される不純物は、領域５２６２ｂ、領域５２６２ｃ、領域５２６２ｄ、又は領域５２６２ｅに添加される不純物の濃度よりも低いことが好ましい。領域５２６２ｂ、及び領域５２６２ｄは、低濃度に不純物が添加された領域であり、ＬＤＤ（Ｌｉｇｈｔｌｙ  Ｄｏｐｅｄ  Ｄｒａｉｎ：ＬＤＤ）領域として機能する。ただし、領域５２６２ｂ、及び領域５２６２ｄを省略することが可能である。領域５２６２ｃ、及び領域５２６２ｅは、高濃度に不純物が半導体層５２６２に添加された領域であり、ソース領域又はドレイン領域として機能する。
【０２１１】
なお、半導体層５３０３ｂは、不純物元素としてリンなどが添加された半導体層であり、ｎ型の導電型を有する。
【０２１２】
なお、半導体層５３０３ａとして、酸化物半導体、又は化合物半導体が用いられる場合、半導体層５３０３ｂを省略することが可能である。
【０２１３】
絶縁層５２６３、絶縁層５３０２、及び絶縁層５３５６の一例としては、酸化珪素（ＳｉＯｘ）、窒化珪素（ＳｉＮｘ）、酸化窒化珪素（ＳｉＯｘＮｙ）（ｘ＞ｙ）、窒化酸化珪素（ＳｉＮｘＯｙ）（ｘ＞ｙ）などの酸素若しくは窒素を有する膜、又はこれらの積層構造などがある。
【０２１４】
導電層５２６４、導電層５２６６、導電層５２６８、導電層５２７１、導電層５３０１、導電層５３０４、導電層５３０６、導電層５３０８、導電層５３５７、及び導電層５３５９の一例としては、単層構造の導電膜、又はこれらの積層構造などがある。当該導電膜の一例としては、アルミニウム（Ａｌ）、タンタル（Ｔａ）、チタン（Ｔｉ）、モリブデン（Ｍｏ）、タングステン（Ｗ）、ネオジム（Ｎｄ）、クロム（Ｃｒ）、ニッケル（Ｎｉ）、白金（Ｐｔ）、金（Ａｕ）、銀（Ａｇ）、銅（Ｃｕ）、マンガン（Ｍｎ）、コバルト（Ｃｏ）、ニオブ（Ｎｂ）、シリコン（Ｓｉ）、鉄（Ｆｅ）、パラジウム（Ｐｄ）、炭素（Ｃ）、スカンジウム（Ｓｃ）、亜鉛（Ｚｎ）、リン（Ｐ）、ボロン（Ｂ）、ヒ素（Ａｓ）、ガリウム（Ｇａ）、インジウム（Ｉｎ）、錫（Ｓｎ）、酸素（Ｏ）によって構成される群から選ばれた一つの元素の単体膜、又は、前記群から選ばれた一つ又は複数の元素を含む化合物などがある。当該化合物の一例としては、前記群から選ばれた一つ若しくは複数の元素を含む合金（インジウム錫酸化物（ＩＴＯ）、インジウム亜鉛酸化物（ＩＺＯ）、酸化珪素を含むインジウム錫酸化物（ＩＴＳＯ）、酸化亜鉛（ＺｎＯ）、酸化錫（ＳｎＯ）、酸化錫カドミウム（ＣＴＯ）、アルミネオジム（Ａｌ−Ｎｄ）、マグネシウム銀（Ｍｇ−Ａｇ）、モリブデンニオブ（Ｍｏ−Ｎｂ）、モリブデンタングステン（Ｍｏ−Ｗ）、モリブデンタンタル（Ｍｏ−Ｔａ）などの合金材料）、前記群から選ばれた一つ若しくは複数の元素と窒素との化合物（窒化チタン、窒化タンタル、窒化モリブデンなどの窒化膜）、又は、前記群から選ばれた一つ若しくは複数の元素とシリコンとの化合物（タングステンシリサイド、チタンシリサイド、ニッケルシリサイド、アルミシリコン、モリブデンシリコンなどのシリサイド膜）などがある。他にも、カーボンナノチューブ、有機ナノチューブ、無機ナノチューブ、又は金属ナノチューブなどのナノチューブ材料がある。
【０２１５】
なお、シリコン（Ｓｉ）は、ｎ型不純物（リンなど）、又はｐ型不純物（ボロンなど）を含むことが可能である。
【０２１６】
なお、銅が導電層として用いられる場合、密着性を向上させるために積層構造にすることが好ましい。
【０２１７】
なお、酸化物半導体、又はシリコンと接触する導電層としては、モリブデン又はチタンを用いることが好ましい。
【０２１８】
なお、導電層としてネオジムとアルミニウムとの合金材料を用いることによって、アルミニウムがヒロックを起こしにくくなる。
【０２１９】
なお、導電層として、シリコンなどの半導体材料を用いる場合、シリコンなどの半導体材料をトランジスタが有する半導体層と同時に形成することが可能である。
【０２２０】
なお、ＩＴＯ、ＩＺＯ、ＩＴＳＯ、ＺｎＯ、Ｓｉ、ＳｎＯ、ＣＴＯ、又はカーボンナノチューブなどは、透光性を有しているので、これらの材料を画素電極、対向電極、又は共通電極などの光を透過させる部分に用いることが可能である。
【０２２１】
なお、低抵抗材料（例えばアルミニウムなど）を用いて積層構造とすることによって、配線の抵抗を小さくすることができる。
【０２２２】
なお、低耐熱性の材料（例えばアルミニウムなど）を、高耐熱性の材料（例えばモリブデン、チタン、ネオジムなど）によって挟む積層構造にすることによって、低耐熱性の材料の持つメリットを生かしつつ、配線、電極などの耐熱性を高くすることができる。
【０２２３】
なお、他の材料に反応して性質が変わってしまう材料を、当該他の材料に反応しにくい材料によって挟んだり、覆ったりすることが可能である。例えば、ＩＴＯとアルミニウムとを接続させる場合は、ＩＴＯとアルミニウムとの間に、ネオジム合金、チタン、モリブデンなどを挟むことが可能である。例えば、シリコンとアルミニウムとを接続させる場合は、シリコンとアルミニウムとの間に、ネオジム合金、チタン、モリブデンを挟むことが可能である。なお、これらの材料は、配線、電極、導電層、導電膜、端子、ビア、プラグなどにも用いることが可能である。
【０２２４】
絶縁層５２６５、絶縁層５２６７、絶縁層５２６９、絶縁層５３０５、及び絶縁層５３５８の一例としては、単層構造の絶縁膜、又はこれらの積層構造などがある。当該絶縁膜の一例としては、酸化珪素（ＳｉＯｘ）、窒化珪素（ＳｉＮｘ）、若しくは酸化窒化珪素（ＳｉＯｘＮｙ）（ｘ＞ｙ）、窒化酸化珪素（ＳｉＮｘＯｙ）（ｘ＞ｙ）等の酸素若しくは窒素を含む膜、ＤＬＣ（ダイヤモンドライクカーボン）等の炭素を含む膜、又は、シロキサン樹脂、エポキシ、ポリイミド、ポリアミド、ポリビニルフェノール、ベンゾシクロブテン、若しくはアクリル等の有機材料などがある。
【０２２５】
発光層５２７０の一例としては、有機ＥＬ素子、又は無機ＥＬ素子などがある。有機ＥＬ素子の一例としては、正孔注入材料からなる正孔注入層、正孔輸送材料からなる正孔輸送層、発光材料からなる発光層、電子輸送材料からなる電子輸送層、電子注入材料からなる電子注入層など、若しくはこれらの材料のうち複数の材料を混合した層の単層構造、若しくはこれらの積層構造などがある。
【０２２６】
液晶層５３０７の一例としては、ネマチック液晶、コレステリック液晶、スメクチック液晶、ディスコチック液晶、サーモトロピック液晶、リオトロピック液晶、低分子液晶、高分子液晶、高分子分散型液晶（ＰＤＬＣ）、強誘電液晶、反強誘電液晶、主鎖型液晶、側鎖型高分子液晶、プラズマアドレス液晶（ＰＡＬＣ）、バナナ型液晶などを挙げることができる。また、液晶の駆動方式としては、ＴＮ（Ｔｗｉｓｔｅｄ  Ｎｅｍａｔｉｃ）モード、ＳＴＮ（Ｓｕｐｅｒ  Ｔｗｉｓｔｅｄ  Ｎｅｍａｔｉｃ）モード、ＩＰＳ（Ｉｎ−Ｐｌａｎｅ−Ｓｗｉｔｃｈｉｎｇ）モード、ＦＦＳ（Ｆｒｉｎｇｅ  Ｆｉｅｌｄ  Ｓｗｉｔｃｈｉｎｇ）モード、ＭＶＡ（Ｍｕｌｔｉ−ｄｏｍａｉｎ  Ｖｅｒｔｉｃａｌ  Ａｌｉｇｎｍｅｎｔ）モード、ＰＶＡ（Ｐａｔｔｅｒｎｅｄ  Ｖｅｒｔｉｃａｌ  Ａｌｉｇｎｍｅｎｔ）モード、ＡＳＶ（Ａｄｖａｎｃｅｄ  Ｓｕｐｅｒ  Ｖｉｅｗ）モード、ＡＳＭ（Ａｘｉａｌｌｙ  Ｓｙｍｍｅｔｒｉｃ  ａｌｉｇｎｅｄ  Ｍｉｃｒｏ−ｃｅｌｌ）モード、ＯＣＢ（Ｏｐｔｉｃａｌｌｙ  Ｃｏｍｐｅｎｓａｔｅｄ  Ｂｉｒｅｆｒｉｎｇｅｎｃｅ）モード、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）モード、ＦＬＣ（Ｆｅｒｒｏｅｌｅｃｔｒｉｃ  Ｌｉｑｕｉｄ  Ｃｒｙｓｔａｌ）モード、ＡＦＬＣ（ＡｎｔｉＦｅｒｒｏｅｌｅｃｔｒｉｃ  Ｌｉｑｕｉｄ  Ｃｒｙｓｔａｌ）モード、ＰＤＬＣ（Ｐｏｌｙｍｅｒ  Ｄｉｓｐｅｒｓｅｄ  Ｌｉｑｕｉｄ  Ｃｒｙｓｔａｌ）モード、ゲストホストモード、ブルー相（Ｂｌｕｅ  Ｐｈａｓｅ）モードなどがある。
【０２２７】
なお、絶縁層５３０５の上及び導電層５３０６の上には、配向膜として機能する絶縁層、突起部として機能する絶縁層などを形成することが可能である。
【０２２８】
なお、導電層５３０８の上には、カラーフィルタ、ブラックマトリクス、又は突起部として機能する絶縁層などを形成することが可能である。導電層５３０８の下には、配向膜として機能する絶縁層を形成することが可能である。
【０２２９】
なお、図３１（Ａ）の断面構造において、絶縁層５２６９、発光層５２７０、及び導電層５２７１を省略し、図３１（Ｂ）に示す液晶層５３０７、導電層５３０８を絶縁層５２６７の上及び導電層５２６８の上に形成することが可能である。
【０２３０】
なお、図３１（Ｂ）の断面構造において、液晶層５３０７、導電層５３０８を省略し、図３１（Ａ）に示す絶縁層５２６９、発光層５２７０、及び導電層５２７１を絶縁層５３０５の上及び導電層５３０６の上に形成することが可能である。
【０２３１】
なお、図３１（Ｃ）の断面構造において、絶縁層５３５８及び導電層５３５９の上に、図３１（Ａ）に示す絶縁層５２６９、発光層５２７０、及び導電層５２７１を形成することが可能である。あるいは、図３１（Ｂ）に示す液晶層５３０７、導電層５３０８を絶縁層５２６７の上及び導電層５２６８に形成することが可能である。
【０２３２】
本実施の形態は、他の実施の形態の一部または全部について、変更、追加、修正、削除、応用、上位概念化、又は、下位概念化したものに相当する。したがって、本実施の形態の一部または全部について、他の実施の形態の一部または全部と自由に組み合わせたり、適用したり、置き換えて実施することができる。
【０２３３】
（実施の形態７）
本実施の形態では、本発明の一態様の半導体装置を適用した表示モジュールについて、図３２を用いて説明を行う。
【０２３４】
図３２に示す表示モジュール８０００は、上部カバー８００１と下部カバー８００２との間に、ＦＰＣ８００３に接続されたタッチパネル８００４、ＦＰＣ８００５に接続された表示パネル８００６、バックライトユニット８００７、フレーム８００９、プリント基板８０１０、バッテリー８０１１を有する。なお、バックライトユニット８００７、バッテリー８０１１、タッチパネル８００４などは、設けられない場合もある。
【０２３５】
本発明の一態様の半導体装置は、例えば、表示パネル８００６に用いることができる。
【０２３６】
上部カバー８００１及び下部カバー８００２は、タッチパネル８００４及び表示パネル８００６のサイズに合わせて、形状や寸法を適宜変更することができる。
【０２３７】
タッチパネル８００４は、抵抗膜方式または静電容量方式のタッチパネルを表示パネル８００６に重畳して用いることができる。また、表示パネル８００６の対向基板（封止基板）に、タッチパネル機能を持たせるようにすることも可能である。または、表示パネル８００６の各画素内に光センサを設け、光学式のタッチパネルとすることも可能である。または、表示パネル８００６の各画素内にタッチセンサ用電極を設け、容量型式のタッチパネルとすることも可能である。
【０２３８】
バックライトユニット８００７は、光源８００８を有する。光源８００８をバックライトユニット８００７の端部に設け、光拡散板を用いる構成としてもよい。
【０２３９】
フレーム８００９は、表示パネル８００６の保護機能の他、プリント基板８０１０の動作により発生する電磁波を遮断するための電磁シールドとしての機能を有する。またフレーム８００９は、放熱板としての機能を有していてもよい。
【０２４０】
プリント基板８０１０は、電源回路、ビデオ信号及びクロック信号を出力するための信号処理回路を有する。電源回路に電力を供給する電源としては、外部の商用電源であっても良いし、別途設けたバッテリー８０１１による電源であってもよい。バッテリー８０１１は、商用電源を用いる場合には、省略可能である。
【０２４１】
また、表示モジュール８０００には、偏光板、位相差板、プリズムシートなどの部材を追加して設けてもよい。
【０２４２】
なお、表示面と同じ面に、カメラ部を設けてもよい。
【０２４３】
本実施の形態に示す構成は、他の実施の形態に示す構成と適宜組み合わせて用いることができる。
【０２４４】
（実施の形態８）
本実施の形態においては、電子機器の例について説明する。以下に示す電子機器において、表示面と同じ面にカメラ部を設ければよい。
【０２４５】
図３３（Ａ）乃至図３３（Ｈ）、図３４（Ａ）乃至図３４（Ｄ）は、電子機器を示す図である。これらの電子機器は、筐体５０００、表示部５００１、スピーカ５００３、ＬＥＤランプ５００４、操作キー５００５（電源スイッチ、又は操作スイッチを含む）、接続端子５００６、センサ５００７（力、変位、位置、速度、加速度、角速度、回転数、距離、光、液、磁気、温度、化学物質、音声、時間、硬度、電場、電流、電圧、電力、放射線、流量、湿度、傾度、振動、におい又は赤外線を測定する機能を含むもの）、マイクロフォン５００８、等を有することができる。
【０２４６】
図３３（Ａ）はモバイルコンピュータであり、上述したものの他に、スイッチ５００９、赤外線ポート５０１０、等を有することができる。図３３（Ｂ）は記録媒体を備えた携帯型の画像再生装置（たとえば、ＤＶＤ再生装置）であり、上述したものの他に、第２表示部５００２、記録媒体読込部５０１１、等を有することができる。図３３（Ｃ）はゴーグル型ディスプレイであり、上述したものの他に、第２表示部５００２、支持部５０１２、イヤホン５０１３、等を有することができる。図３３（Ｄ）は携帯型遊技機であり、上述したものの他に、記録媒体読込部５０１１、等を有することができる。図３３（Ｅ）はプロジェクタであり、上述したものの他に、光源５０３３、投射レンズ５０３４、等を有することができる。図３３（Ｆ）は携帯型遊技機であり、上述したものの他に、第２表示部５００２、記録媒体読込部５０１１、等を有することができる。図３３（Ｇ）はテレビ受像器であり、上述したものの他に、チューナ、画像処理部、等を有することができる。図３３（Ｈ）は持ち運び型テレビ受像器であり、上述したものの他に、信号の送受信が可能な充電器５０１７、等を有することができる。図３４（Ａ）はディスプレイであり、上述したものの他に、支持台５０１８、等を有することができる。図３４（Ｂ）はカメラであり、上述したものの他に、外部接続ポート５０１９、シャッターボタン５０１５、受像部５０１６、等を有することができる。図３４（Ｃ）はコンピュータであり、上述したものの他に、ポインティングデバイス５０２０、外部接続ポート５０１９、リーダ／ライタ５０２１、等を有することができる。図３４（Ｄ）は携帯電話機であり、上述したものの他に、アンテナ５０１４、携帯電話・移動端末向けの１セグメント部分受信サービス用チューナ、等を有することができる。
【０２４７】
図３３（Ａ）乃至図３３（Ｈ）、図３４（Ａ）乃至図３４（Ｄ）に示す電子機器は、様々な機能を有することができる。例えば、様々な情報（静止画、動画、テキスト画像など）を表示部に表示する機能、タッチパネル機能、カレンダー、日付又は時刻などを表示する機能、様々なソフトウェア（プログラム）によって処理を制御する機能、無線通信機能、無線通信機能を用いて様々なコンピュータネットワークに接続する機能、無線通信機能を用いて様々なデータの送信又は受信を行う機能、記録媒体に記録されているプログラム又はデータを読み出して表示部に表示する機能、等を有することができる。さらに、複数の表示部を有する電子機器においては、一つの表示部を主として画像情報を表示し、別の一つの表示部を主として文字情報を表示する機能、または、複数の表示部に視差を考慮した画像を表示することで立体的な画像を表示する機能、等を有することができる。さらに、受像部を有する電子機器においては、静止画を撮影する機能、動画を撮影する機能、撮影した画像を自動または手動で補正する機能、撮影した画像を記録媒体（外部又はカメラに内蔵）に保存する機能、撮影した画像を表示部に表示する機能、等を有することができる。なお、図３３（Ａ）乃至図３３（Ｈ）、図３４（Ａ）乃至図３４（Ｄ）に示す電子機器が有することのできる機能はこれらに限定されず、様々な機能を有することができる。
【０２４８】
本実施の形態において述べた電子機器は、何らかの情報を表示するための表示部を有することを特徴とする。
【０２４９】
次に、半導体装置の応用例を説明する。
【０２５０】
図３４（Ｅ）に、半導体装置を、建造物と一体にして設けた例について示す。図３４（Ｅ）は、筐体５０２２、表示部５０２３、操作部であるリモコン装置５０２４、スピーカ５０２５等を含む。半導体装置は、壁かけ型として建物と一体となっており、設置するスペースを広く必要とすることなく設置可能である。
【０２５１】
図３４（Ｆ）に、建造物内に半導体装置を、建造物と一体にして設けた別の例について示す。表示パネル５０２６は、ユニットバス５０２７と一体に取り付けられており、入浴者は表示パネル５０２６の視聴が可能になる。
【０２５２】
なお、本実施の形態において、建造物として壁、ユニットバスを例としたが、本実施の形態はこれに限定されず、様々な建造物に半導体装置を設置することができる。
【０２５３】
次に、半導体装置を、移動体と一体にして設けた例について示す。
【０２５４】
図３４（Ｇ）は、半導体装置を、自動車に設けた例について示した図である。表示パネル５０２８は、自動車の車体５０２９に取り付けられており、車体の動作又は車体内外から入力される情報をオンデマンドに表示することができる。なお、ナビゲーション機能を有していてもよい。
【０２５５】
図３４（Ｈ）は、半導体装置を、旅客用飛行機と一体にして設けた例について示した図である。図３４（Ｈ）は、旅客用飛行機の座席上部の天井５０３０に表示パネル５０３１を設けたときの、使用時の形状について示した図である。表示パネル５０３１は、天井５０３０とヒンジ部５０３２を介して一体に取り付けられており、ヒンジ部５０３２の伸縮により乗客は表示パネル５０３１の視聴が可能になる。表示パネル５０３１は乗客が操作することで情報を表示する機能を有する。
【０２５６】
なお、本実施の形態において、移動体としては自動車車体、飛行機車体について例示したがこれに限定されず、自動二輪車、自動四輪車（自動車、バス等を含む）、電車（モノレール、鉄道等を含む）、船舶等、様々なものに設置することができる。
【符号の説明】
【０２５７】
１０２    配線
１０４    配線
１０４Ａ    配線
１０４Ｂ    配線
１０６    負荷
１０６Ａ    発光素子
１０８    トランジスタ
１１０    容量素子
１１２    スイッチ
１１２Ａ    トランジスタ
１１４    スイッチ
１１４Ａ    トランジスタ
１１６    スイッチ
１１６Ａ    トランジスタ
１１８    スイッチ
１１８Ａ    トランジスタ
１１８Ｂ    トランジスタ
１２０    スイッチ
１２０Ａ    トランジスタ
１２２    配線
１２４    配線
１２５    配線
１２６    配線
１２６Ａ    配線
１２７    配線
３１２    スイッチ
３１２Ａ    トランジスタ
３２５    配線
３２６    配線
３２６Ａ    配線
５０１    画素部
５０２    ビデオ線駆動回路
５０３Ａ    ゲート線駆動回路
５０３Ｂ    ゲート線駆動回路
６０１    電子機器
６０２    表示装置
６０３    カメラ部
６０４    カメラ部
７０１    配線
７０２    配線
７０３    回路
７０３Ａ    回路
７０３Ｂ    回路
７０５    回路
５０００    筐体
５００１    表示部
５００２    表示部
５００３    スピーカ
５００４    ＬＥＤランプ
５００５    操作キー
５００６    接続端子
５００７    センサ
５００８    マイクロフォン
５００９    スイッチ
５０１０    赤外線ポート
５０１１    記録媒体読込部
５０１２    支持部
５０１３    イヤホン
５０１４    アンテナ
５０１５    シャッターボタン
５０１６    受像部
５０１７    充電器
５０１８    支持台
５０１９    外部接続ポート
５０２０    ポインティングデバイス
５０２１    リーダ／ライタ
５０２２    筐体
５０２３    表示部
５０２４    リモコン装置
５０２５    スピーカ
５０２６    表示パネル
５０２７    ユニットバス
５０２８    表示パネル
５０２９    車体
５０３０    天井
５０３１    表示パネル
５０３２    ヒンジ部
５０３３    光源
５０３４    投射レンズ
５２６０    基板
５２６１    絶縁層
５２６２    半導体層
５２６２ａ    領域
５２６２ｂ    領域
５２６２ｃ    領域
５２６２ｄ    領域
５２６２ｅ    領域
５２６３    絶縁層
５２６４    導電層
５２６５    絶縁層
５２６６    導電層
５２６７    絶縁層
５２６８    導電層
５２６９    絶縁層
５２７０    発光層
５２７１    導電層
５３００    基板
５３０１    導電層
５３０２    絶縁層
５３０３ａ    半導体層
５３０３ｂ    半導体層
５３０４    導電層
５３０５    絶縁層
５３０６    導電層
５３０７    液晶層
５３０８    導電層
５３５０    領域
５３５１    領域
５３５２    半導体基板
５３５３    領域
５３５４    絶縁層
５３５５    領域
５３５６    絶縁層
５３５７    導電層
５３５８    絶縁層
５３５９    導電層
８０００    表示モジュール
８００１    上部カバー
８００２    下部カバー
８００３    ＦＰＣ
８００４    タッチパネル
８００５    ＦＰＣ
８００６    表示パネル
８００７    バックライトユニット
８００８    光源
８００９    フレーム
８０１０    プリント基板
８０１１    バッテリー
【図１】
2015084092.tif 000003
【図２】
2015084092.tif 000004
【図３】
2015084092.tif 000005
【図４】
2015084092.tif 000006
【図５】
2015084092.tif 000007
【図６】
2015084092.tif 000008
【図７】
2015084092.tif 000009
【図８】
2015084092.tif 000010
【図９】
2015084092.tif 000011
【図１０】
2015084092.tif 000012
【図１１】
2015084092.tif 000013
【図１２】
2015084092.tif 000014
【図１３】
2015084092.tif 000015
【図１４】
2015084092.tif 000016
【図１５】
2015084092.tif 000017
【図１６】
2015084092.tif 000018
【図１７】
2015084092.tif 000019
【図１８】
2015084092.tif 000020
【図１９】
2015084092.tif 000021
【図２０】
2015084092.tif 000022
【図２１】
2015084092.tif 000023
【図２２】
2015084092.tif 000024
【図２３】
2015084092.tif 000025
【図２４】
2015084092.tif 000026
【図２５】
2015084092.tif 000027
【図２６】
2015084092.tif 000028
【図２７】
2015084092.tif 000029
【図２８】
2015084092.tif 000030
【図２９】
2015084092.tif 000031
【図３０】
2015084092.tif 000032
【図３１】
2015084092.tif 000033
【図３２】
2015084092.tif 000034
【図３３】
2015084092.tif 000035
【図３４】
2015084092.tif 000036